(57)【要約】【課題】    高いコントラスト比を有する光学像を形成できる光学装置、光学変換素子姿勢調整装置、およびプロジェクタを提供する。【解決手段】光学装置本体４０Ａは、液晶パネル４１Ｒ，４１Ｇ，４１Ｂおよびクロスダイクロイックプリズム４５の間に介装される第１偏光板４４Ｐおよび第２偏光板４４Ａと、略中央部分に入射光束透過用の開口部４７１Ａが形成され、第１偏光板４４Ｐを保持する光学変換素子保持枠４７とを備える。光学変換素子保持枠４７は、第１偏光板４４Ｐに入射する光束の光軸に直交する面内で光軸を中心として回動自在に構成され、第２偏光板４４Ａに対する第１偏光板４４Ｐの姿勢調整を実施する。【選択図】 図２
2005084596.tif 000002
【特許請求の範囲】
【請求項１】
複数の色光を色光毎に画像情報に応じて変調する複数の光変調装置と、各光変調装置で変調された各色光を合成する色合成光学装置とが一体的に設けられた光学装置であって、
前記光変調装置および前記色合成光学装置の間に介装され、入射する光束を光学的に変換する複数の光学変換素子と、
略中央部分に入射光束透過用の開口部が形成され、前記複数の光学変換素子のうちのいずれかの光学変換素子を保持する光学変換素子保持枠とを備え、
前記光学変換素子保持枠は、前記光学変換素子に入射する光束の光軸に直交する面内で前記光軸を中心として回動自在に構成され、前記複数の光学変換素子のうちの他の光学変換素子に対する前記保持した光学変換素子の姿勢調整を実施することを特徴とする光学装置。
【請求項２】
請求項１に記載の光学装置において、
略中央部分に入射光束透過用の開口部が形成され、前記光学変換素子保持枠を回動自在に支持する保持枠支持板を備え、
前記保持枠支持板の端部には、前記光学変換素子に入射する光束の光軸を中心とする円弧状の曲面として構成され、該曲面に沿って前記光学変換素子保持枠を回動自在に支持する保持枠支持面が形成され、
前記光学変換素子保持枠には、前記保持枠支持板の保持枠支持面と当接し、前記光学変換素子の光束入射方向を軸として前記保持した光学変換素子を回動させる曲面が形成されていることを特徴とする光学装置。
【請求項３】
請求項２に記載の光学装置において、
前記保持枠支持板は、前記開口部が形成された矩形板状体と、この矩形板状体の互いに平行な一対の辺縁に突設され、前記矩形板状体の端縁延出方向に沿って延びる一対の起立片と、各起立片の先端に設けられ、対向する起立片に向かって延びる延出部とを備え、
前記矩形板状体および前記延出部のいずれか一方には、前記保持枠支持面が形成され、
前記矩形板状体、前記起立片、および前記延出部に囲まれる空間には、前記光学変換素子保持枠、および前記他の光学変換素子のうちの少なくとも１つの光学変換素子が挿入されることを特徴とする光学装置。
【請求項４】
請求項３に記載の光学装置において、
前記一対の起立片の内側面には、前記光学変換素子保持枠、および前記他の光学変換素子のうちの少なくとも１つの光学変換素子の挿入方向に沿って延びる突条部が形成され、
前記光学変換素子保持枠、および前記他の光学変換素子のうちの少なくとも１つの光学変換素子は、前記突条部にて区画される前記空間にそれぞれ挿入されることを特徴とする光学装置。
【請求項５】
請求項１に記載の光学装置において、
略中央部分に入射光束透過用の開口部が形成され、前記光学変換素子保持枠を回動自在に支持する保持枠支持板を備え、
前記光学変換素子保持枠の開口部周縁には、前記光学変換素子に入射する光束の光軸を中心とした円弧状の切り欠きが形成され、
前記保持枠支持板は、前記円弧状の切り欠き端縁に当接する複数の突起を有し、これら突起に沿って前記光学変換素子保持枠を回動自在に支持することを特徴とする光学装置。
【請求項６】
請求項５に記載の光学装置において、
前記複数の突起は、熱かしめにより前記光学変換素子保持枠の開口と離間する方向に折曲されることを特徴とする光学装置。
【請求項７】
請求項５または請求項６に記載の光学装置において、
前記色合成光学装置の複数の光束入射側端面と交差する端面のうちの少なくともいずれかの端面に固定される台座を備え、
前記光学変換素子保持枠は、前記光学変換素子の姿勢調整を実施した後、前記台座に固定されることを特徴とする光学装置。
【請求項８】
請求項７に記載の光学装置において、
前記台座には、前記光学変換素子に入射する光束の光軸を中心とする円弧状の曲面として構成され、該曲面に沿って前記光学変換素子保持枠を回動自在に支持する保持枠支持面が形成され、
前記光学変換素子保持枠には、前記台座の保持枠支持面と当接し、前記光学変換素子の光束入射方向を軸として前記光学変換素子を回動させる曲面が形成されていることを特徴とする光学装置。
【請求項９】
請求項２から請求項４、および請求項８のいずれかに記載の光学装置において、
前記保持枠支持面には、前記光学変換素子保持枠を固定する固定部材が取り付けられる固定部材取付部が形成され、
前記光学変換素子保持枠の曲面には、該光学変換素子保持枠の回動方向に延び、前記固定部材が挿通される長孔が形成されていることを特徴とする光学装置。
【請求項１０】
請求項２から請求項９のいずれかに記載の光学装置において、
前記光変調装置は、光変調を実施する光変調素子と、この光変調素子の画像形成領域と対応する開口部を有し、前記光変調素子を保持する光変調素子保持枠とを備え、
前記光変調素子保持枠は、少なくとも２つの孔を有し、
前記保持枠支持板は、前記光変調素子保持枠の孔に対応するピン状部材を介して前記光変調装置を支持することを特徴とする光学装置。
【請求項１１】
請求項１から請求項１０のいずれかに記載の光学装置において、
前記複数の光学変換素子は、入射光束の光軸方向に配置され、互いに偏光軸が平行でかつ、光吸収特性の異なる２つの偏光板を含んで構成され、
前記光学変換素子保持枠は、前記２つの偏光板のいずれか一方に対する他方の姿勢調整を実施することを特徴とする光学装置。
【請求項１２】
複数の色光を色光毎に画像情報に応じて変調する複数の光変調装置と、各光変調装置で変調された各色光を合成する色合成光学装置と、前記光変調装置および前記色合成光学装置の間に介装され、入射する光束を光学的に変換する複数の光学変換素子とが一体的に設けられた光学装置を製造するために、前記光学変換素子の姿勢調整を実施する光学変換素子姿勢調整装置であって、
前記光学装置は、前記複数の光学変換素子のうちのいずれかの光学変換素子を保持し、前記光学変換素子に入射する光束の光軸に直交する面内で前記光軸を中心として回動自在に構成される光学変換素子保持枠を備え、
当該光学変換素子姿勢調整装置は、
前記複数の光学変換素子のうちのいずれかの光学変換素子が前記光学変換素子保持枠に保持され、前記光学変換素子保持枠が前記色合成光学装置に対して回動自在に取り付けられた状態でかつ、前記複数の光学変換素子のうちの他の光学変換素子の少なくとも１つが前記色合成光学装置に対して取り付けられた状態で前記色合成光学装置を載置固定する載置部と、
調整用光束を射出する光束射出部と、
前記光束射出部から射出され、前記複数の光学変換素子および前記色合成光学装置を介した光束の照度を測定する照度計と、
前記照度計にて測定された照度に基づいて、前記光学変換素子保持枠を移動させて前記光学変換素子保持枠に保持された光学変換素子を前記光軸を中心として回動させ、前記複数の光学変換素子のうちの他の光学変換素子に対する前記保持された光学変換素子の姿勢調整を実施する姿勢調整部とを備えていることを特徴とする光学変換素子姿勢調整装置。
【請求項１３】
請求項１２に記載の光学変換素子姿勢調整装置において、
前記姿勢調整部は、前記光学変換素子保持枠に係合する係合部を有し、前記光軸を中心として回動自在に構成され、前記係合部により前記光学変換素子保持枠に係合した状態で回動することで、前記光学変換素子保持枠を回動させることを特徴とする光学変換素子姿勢調整装置。
【請求項１４】
光源と、この光源から射出された光束を複数の色光に分離する色分離光学装置と、請求項１から請求項１１のいずれかに記載の光学装置と、この光学装置にて形成された光学像を拡大投写する投写光学装置とを備えていることを特徴とするプロジェクタ。
【発明の詳細な説明】
【技術分野】
【０００１】
本発明は、光学装置、光学変換素子姿勢調整装置、およびプロジェクタに関する。
【背景技術】
【０００２】
従来、会議、学会、展示会等でのプレゼンテーションにプロジェクタを用いることが知られている。このようなプロジェクタは、その内部に複数の光学部品を収容し、これらの光学部品を用いることにより、光源から射出された光束を変調した後に拡大投写して投写画像を形成している。
このような光学部品としては、光源から射出された光束を変調する光変調素子と、この光変調素子を挟むように配置される入射側偏光板および射出側偏光板とが用いられている。
ここで、入射側偏光板および射出側偏光板は、光変調素子に入射する偏光方向を制御するとともに、光変調素子から射出される光束の偏光方向を制御するものであり、それぞれの偏光軸が直交するように配置される。このような構成により、投写画像の高いコントラストを実現している。
【０００３】
このため、従来では、入射側偏光板および射出側偏光板の偏光軸同士のなす角度を調整するための調整機構を備えたプロジェクタが知られている（例えば、特許文献１参照）。
この調整機構は、光学部品を収容する光学部品用筐体とは独立して設けられ、光学部品用筐体の所定位置に設置される。そして、光学部品用筐体の上面に形成された孔を介して調整機構を操作することにより、照明光軸と直交する面内で射出側偏光板に対する入射側偏光板の姿勢調整が実施される。
【０００４】
【特許文献１】特開２０００−２５９０９３号公報
【発明の開示】
【発明が解決しようとする課題】
【０００５】
近年において、三枚の光変調素子を用いた三板式のプロジェクタでは、プロジェクタの小型化が図られ、これに伴い光変調素子、射出側偏光板、および光変調素子にて変調された各変調光を合成する色合成光学装置等が一体化された光学装置が採用されている。また、光変調素子毎の視野角を調整し、光変調素子毎に生じる視野角依存性による画面ムラを抑制して、色むらのない投写画像を形成するために、位相差板または視野角補正板等を用いる構成も利用されている。このような位相差板または視野角補正板等は、照明光軸上において、例えば、入射側偏光板または射出側偏光板と、光変調素子との間に配置される。
このような構成に特許文献１に記載の調整機構を採用した場合には、光学装置の前段に配置される入射側偏光板の姿勢調整を実施可能とするが、色合成光学装置および光変調装置の間に介装される射出側偏光板、位相差板、視野角補正板等の光学変換素子の姿勢調整を実施することが困難である。すなわち、入射側偏光板および射出側偏光板の相対的な偏光軸の角度調整は、入射側偏光板のみの姿勢調整を実施することで調整可能であるが、射出側偏光板の偏光軸に応じた位相差板、視野角補正板等の角度調整を実施することが困難であるため、投写画像のコントラスト比を低減してしまうおそれがある。
【０００６】
本発明の目的は、このような点に鑑みて、高いコントラスト比を有する光学像を形成できる光学装置、光学変換素子姿勢調整装置、およびプロジェクタを提供することにある。
【課題を解決するための手段】
【０００７】
本発明の光学装置は、複数の色光を色光毎に画像情報に応じて変調する複数の光変調装置と、各光変調装置で変調された各色光を合成する色合成光学装置とが一体的に設けられた光学装置であって、前記光変調装置および前記色合成光学装置の間に介装され、入射する光束を光学的に変換する複数の光学変換素子と、略中央部分に入射光束透過用の開口部が形成され、前記複数の光学変換素子のうちのいずれかの光学変換素子を保持する光学変換素子保持枠とを備え、前記光学変換素子保持枠は、前記光学変換素子に入射する光束の光軸に直交する面内で前記光軸を中心として回動自在に構成され、前記複数の光学変換素子のうちの他の光学変換素子に対する前記保持した光学変換素子の姿勢調整を実施することを特徴とする。
ここで、光学変換素子としては、例えば、位相差板、視野角補正板、または射出側偏光板等を採用できる。また、複数の光学変換素子としては、位相差板、視野角補正板、および射出側偏光板のうちの少なくとも２つ以上を含む構成の他、同一の機能を有する光学変換素子、例えば２つの射出側偏光板を含む構成を採用してもよい。
本発明では、光学装置は、複数の光学変換素子と、光学変換素子保持枠とを備え、この光学変換素子保持枠は、光学変換素子に入射する光束の光軸を中心として回動することで、保持した光学変換素子を、保持していない光学変換素子に対して姿勢調整する。このことにより、例えば、射出側偏光板の偏光軸に応じた位相差板、視野角補正板等の姿勢調整、および、射出側偏光板が２つで構成されている場合には一方の偏光板の偏光軸に応じた他方の偏光板の姿勢調整を実施することが可能となる。したがって、この姿勢調整を実施することで、光学装置にて高いコントラスト比を有する光学像を形成できる。
【０００８】
本発明の光学装置では、略中央部分に入射光束透過用の開口部が形成され、前記光学変換素子保持枠を回動自在に支持する保持枠支持板を備え、前記保持枠支持板の端部には、前記光学変換素子に入射する光束の光軸を中心とする円弧状の曲面として構成され、該曲面に沿って前記光学変換素子保持枠を回動自在に支持する保持枠支持面が形成され、前記光学変換素子保持枠には、前記保持枠支持板の保持枠支持面と当接し、前記光学変換素子の光束入射方向を軸として前記保持した光学変換素子を回動させる曲面が形成されていることが好ましい。
本発明では、光学装置は、保持枠支持板を備え、この保持枠支持板の端部には、保持枠支持面が形成されている。また、光学変換素子保持枠には、保持枠支持面と当接する曲面が形成されている。このことにより、保持枠支持板の保持枠支持面に沿って光学変換素子保持枠を回動させることが容易となり、光学変換素子保持枠に保持される光学変換素子の姿勢調整が容易に実施できる。
また、保持枠支持面が保持枠支持板の端部に形成されているので、光変調装置および色合成光学装置の間に複数の光学変換素子が介装されていても、保持枠支持板に光学変換素子保持枠を容易に設置できる。
【０００９】
本発明の光学装置では、前記保持枠支持板は、前記開口部が形成された矩形板状体と、この矩形板状体の互いに平行な一対の辺縁に突設され、前記矩形板状体の端縁延出方向に沿って延びる一対の起立片と、各起立片の先端に設けられ、対向する起立片に向かって延びる延出部とを備え、前記矩形板状体および前記延出部のいずれか一方には、前記保持枠支持面が形成され、前記矩形板状体、前記起立片、および前記延出部に囲まれる空間には、前記光学変換素子保持枠、および前記他の光学変換素子のうちの少なくとも１つの光学変換素子が挿入されることが好ましい。
ここで、起立片は、矩形板状体の辺縁と同じ長さを有するように形成してもよく、または、矩形板状体の辺縁から複数の起立片が突出するように形成してもよい。
また、延出部も同様に、起立片と同じ長さを有するように形成してもよく、または、起立片の先端から複数の延出部が延出するように形成してもよい。
本発明によれば、保持枠支持板は、矩形板状体、起立片、および延出部で構成されているので、これら矩形板状体、起立片、および延出部に囲まれる空間に光学変換素子保持枠、および光学変換素子保持枠にて保持しない光学変換素子のうちの少なくとも１つを挿入できる。したがって、光学変換素子保持枠および該光学変換素子保持枠にて保持しない光学変換素子のうちの少なくとも１つを保持枠支持板にて一体化することで、光変調装置および色合成光学装置間に介装される複数の光学変換素子をコンパクトに纏めることができ、光学装置の小型化を図れる。
また、保持枠支持板および光学変換素子保持枠を熱伝導性部材から構成すれば、光学変換素子保持枠にて保持する光学変換素子、および光学変換素子にて保持しない光学変換素子の双方に生じる熱を光学変換素子保持枠および保持枠支持板に放熱することができ、光学変換素子の熱劣化を回避できる。
【００１０】
本発明の光学装置では、前記一対の起立片の内側面には、前記光学変換素子保持枠、および前記他の光学変換素子のうちの少なくとも１つの光学変換素子の挿入方向に沿って延びる突条部が形成され、前記光学変換素子保持枠、および前記他の光学変換素子のうちの少なくとも１つの光学変換素子は、前記突条部にて区画される前記空間にそれぞれ挿入されることが好ましい。
ここで、突条部は、一対の起立片の内側面にそれぞれ一つずつ形成されてもよく、複数形成されてもよい。挿入される光学変換素子の数を考慮して突条部を形成すればよい。
本発明によれば、一対の起立片の内側面には、突条部が形成されているので、矩形板状体、起立片、および延出部にて囲まれる空間のスペースを効率的に利用できる。また、この突条部により、空間に挿入される光学変換素子保持枠、および該光学変換素子保持枠にて保持されない光学変換素子の間での機械的な干渉を回避できる。
【００１１】
本発明の光学装置では、略中央部分に入射光束透過用の開口部が形成され、前記光学変換素子保持枠を回動自在に支持する保持枠支持板を備え、前記光学変換素子保持枠の開口部周縁には、前記光学変換素子に入射する光束の光軸を中心とした円弧状の切り欠きが形成され、前記保持枠支持板は、前記円弧状の切り欠き端縁に当接する複数の突起を有し、これら突起に沿って前記光学変換素子保持枠を回動自在に支持することが好ましい。
本発明では、光学変換素子保持枠の開口部周縁には、円弧状の切り欠きが形成されている。また、光学装置は、保持枠支持板を備え、この保持枠支持板には、切り欠き端縁に当接する複数の突起を有している。このことにより、保持枠支持板の複数の突起に沿って光学変換素子保持枠を回動させることが容易となり、光学変換素子保持枠に保持される光学変換素子の姿勢調整が容易に実施できる。
また、光学変換素子保持枠には切り欠きを形成し、保持枠支持板には複数の突起を形成することで、光学変換素子の姿勢調整構造を構成でき、光学変換素子保持枠および保持枠支持板の形状の簡素化を図れ、これら光学変換素子保持枠および保持枠支持板の製造を容易に実施できる。
【００１２】
本発明の光学装置では、前記複数の突起は、熱かしめにより前記光学変換素子保持枠の開口と離間する方向に折曲されることが好ましい。
本発明によれば、複数の突起は、熱かしめにより光学変換素子保持枠の開口と離間する方向に折曲されるので、光学変換素子保持枠がその面外方向に位置ずれしないように該光学変換素子保持枠を保持枠支持板に係合させることができ、保持枠支持板の複数の突起に沿って光学変換素子保持枠を良好に回動させることができ、光学変換素子保持枠に保持される光学変換素子の姿勢調整を良好に実施できる。
【００１３】
本発明の光学装置では、前記色合成光学装置の複数の光束入射側端面と交差する端面のうちの少なくともいずれかの端面に固定される台座を備え、前記光学変換素子保持枠は、前記光学変換素子の姿勢調整を実施した後、前記台座に固定されることが好ましい。
ここで、光学変換素子保持枠の台座への固定は、ねじ等の固定部材により実施してもよく、接着剤等により接着固定してもよい。
本発明によれば、光学装置は台座を備え、光学変換素子保持枠がこの台座に固定されるので、光学変換素子の姿勢調整を実施した後、光学変換素子を良好な姿勢位置で確実に支持できる。
【００１４】
本発明の光学装置では、前記台座には、前記光学変換素子に入射する光束の光軸を中心とする円弧状の曲面として構成され、該曲面に沿って前記光学変換素子保持枠を回動自在に支持する保持枠支持面が形成され、前記光学変換素子保持枠には、前記台座の保持枠支持面と当接し、前記光学変換素子の光束入射方向を軸として前記光学変換素子を回動させる曲面が形成されていることが好ましい。
本発明では、台座には、保持枠支持面が形成されている。また、光学変換素子保持枠には、保持枠支持面と当接する曲面が形成されている。このことにより、保持枠支持板の複数の突起、および台座の保持枠支持面の双方に沿って光学変換素子保持枠を回動させることができる。したがって、光学変換素子保持枠を確実に支持でき、光学変換素子保持枠に保持される光学変換素子の姿勢調整をさらに良好に実施できる。
【００１５】
本発明の光学装置では、前記保持枠支持面には、前記光学変換素子保持枠を固定する固定部材が取り付けられる固定部材取付部が形成され、前記光学変換素子保持枠の曲面には、該光学変換素子保持枠の回動方向に延び、前記固定部材が挿通される長孔が形成されていることが好ましい。
本発明によれば、保持枠支持面には固定部材取付部が形成され、光学変換素子保持枠の曲面には長孔が形成されているので、長孔を介して固定部材を固定部材取付部に取り付け、光学変換素子保持枠の回動に応じた光学変換素子の最適な位置で保持枠支持面上に光学変換素子保持枠を固定できる。
【００１６】
本発明の光学装置では、前記光変調装置は、光変調を実施する光変調素子と、この光変調素子の画像形成領域と対応する開口部を有し、前記光変調素子を保持する光変調素子保持枠とを備え、前記光変調素子保持枠は、少なくとも２つの孔を有し、前記保持枠支持板は、前記光変調素子保持枠の孔に対応するピン状部材を介して前記光変調装置を支持することが好ましい。
ここで、ピン状部材は、保持枠支持板と一体的に形成された構成としてもよく、保持枠支持板と別体とする構成としてもよい。
本発明では、保持枠支持板は、光学変換素子保持枠を支持するとともに、ピン状部材を介して光変調装置を支持するので、光変調装置を色合成光学装置に対して取り付けるための部材を省略でき、光学装置の製造コストの低減、および光学装置の小型化を図れる。
【００１７】
本発明の光学装置では、前記複数の光学変換素子は、入射光束の光軸方向に配置され、互いに偏光軸が平行でかつ、光吸収特性の異なる２つの偏光板を含んで構成され、前記光学変換素子保持枠は、前記２つの偏光板のいずれか一方に対する他方の姿勢調整を実施することが好ましい。
本発明では、複数の光学変換素子は、２つの偏光板を含んで構成される。すなわち、光変調装置および色合成光学装置の間に介装される射出側偏光板が２つの偏光板で構成される。このことにより、射出側偏光板を１つで構成する場合と比較して、射出側偏光板に生じる熱を２つの偏光板で按分でき、射出側偏光板の熱劣化を回避できる。
また、光学変換素子保持枠は、２つの偏光板のうちのいずれかを保持し、保持した偏光板に対する他の偏光板の姿勢調整を実施するので、２つの偏光板の偏光軸を平行に揃えることができる。したがって、光学装置にて高いコントラスト比を有する光学像を形成できる。
【００１８】
本発明の光学変換素子姿勢調整装置は、複数の色光を色光毎に画像情報に応じて変調する複数の光変調装置と、各光変調装置で変調された各色光を合成する色合成光学装置と、前記光変調装置および前記色合成光沢装置の間に介装され、入射する光束を光学的に変換する複数の光学変換素子とが一体的に設けられた光学装置を製造するために、前記光学変換素子の姿勢調整を実施する光学変換素子姿勢調整装置であって、前記光学装置は、前記複数の光学変換素子のうちのいずれかの光学変換素子を保持し、前記光学変換素子に入射する光束の光軸に直交する面内で前記光軸を中心として回動自在に構成される光学変換素子保持枠を備え、当該光学変換素子姿勢調整装置は、前記複数の光学変換素子のうちのいずれかの光学変換素子が前記光学変換素子保持枠に保持され前記光学変換素子が前記色合成光学装置に対して回動自在に取り付けられた状態でかつ、前記複数の光学変換素子のうちの他の光学変換素子の少なくとも１つが前記色合成光学装置に対して取り付けられた状態で前記色合成光学装置を載置固定する載置部と、調整用光束を射出する光束射出部と、前記光束射出部から射出され、前記複数の光学変換素子および前記色合成光学装置を介した光束の照度を測定する照度計と、前記照度計にて測定された照度に基づいて、前記光学変換素子保持枠を移動させて前記光学変換素子保持枠に保持された光学変換素子を前記光軸を中心として回動させ、前記複数の光学変換素子のうちの他の光学変換素子に対する前記保持された光学変換素子の姿勢調整を実施する姿勢調整部とを備えていることを特徴とする。
本発明では、光学変換素子姿勢調整装置は、載置部と、光束射出部と、照度計と、姿勢調整部とを備え、姿勢調整部は、照度計にて測定された照度に基づいて、光学変換素子保持枠を移動させて該光学変換素子保持枠に保持された光学変換素子を他の光学変換素子に対して姿勢調整する。このことにより、例えば、射出側偏光板の偏光軸に応じた位相差板、視野角補正板等の姿勢調整、および、射出側偏光板が２つで構成されている場合には一方の偏光板の偏光軸に応じた他方の偏光板の姿勢調整を実施することができる。したがって、高いコントラスト比を有する光学像を形成できる光学装置を容易に製造できる。
また、この姿勢調整装置にて光学変換素子の姿勢調整を実施することで、製造される各光学装置にて形成される光学像のコントラストのばらつきを低減できる。
【００１９】
本発明の光学変換素子姿勢調整装置では、前記姿勢調整部は、前記光学変換素子保持枠に係合する係合部を有し、前記光軸を中心として回動自在に構成され、前記係合部により前記光学変換素子保持枠に係合した状態で回動することで、前記光学変換素子保持枠を回動させることが好ましい。
本発明によれば、姿勢調整部は、係合部を有し、光軸を中心として回動自在に構成されているので、光学変換素子保持枠における光軸を中心とした回動を確実に実施でき、光学変換素子保持枠に保持された光学変換素子の姿勢調整を良好に実施できる。
【００２０】
本発明のプロジェクタは、光源と、この光源から射出された光束を複数の色光に分離する色分離光学装置と、上述した光学装置と、この光学装置にて形成された光学像を拡大投写する投写光学装置とを備えていることを特徴とする。
本発明によれば、プロジェクタは、上述した光学装置を備えているので、上述の光学装置と同様の作用・効果を享受できる。
また、プロジェクタは、高いコントラスト比を有する光学像を形成できる光学装置を備えているので、投写光学装置にて鮮明な投写画像を投写できる。
【発明を実施するための最良の形態】
【００２１】
〔第１実施形態〕
以下、本発明の実施の形態を図面に基づいて説明する。
〔プロジェクタの構成〕
図１は、第１実施形態に係る光学装置を搭載したプロジェクタ１の光学系を示す模式図である。
プロジェクタ１は、光源装置から射出された光束を画像情報に応じて変調して光学像を形成し、形成した光学像を拡大投写する。このプロジェクタ１は、図１に示すように、インテグレータ照明光学系１０と、色分離光学装置として色分離光学系２０と、リレー光学系３０と、光変調装置および色合成光学装置を一体化した光学装置４０と、投写光学装置としての投写レンズ５０と、光学部品１０〜４０を内部に収納するとともに、これら光学部品１０〜４０に対する所定位置に投写レンズ５０を設置するライトガイド６０とを備える。
【００２２】
インテグレータ照明光学系１０は、光源から射出された光束を照明光軸直交面内における照度を均一にするための光学系であり、光源装置１１、平行化凹レンズ１２、第１レンズアレイ１３、第２レンズアレイ１４、偏光変換素子１５、および重畳レンズ１６を備えて構成される。
光源装置１１は、放射光源としての光源ランプ１７、リフレクタ１８、およびリフレクタ１８の光束射出面を覆うフロントガラス１９を備え、光源ランプ１７から射出された放射状の光線を、平行化凹レンズ１２およびリフレクタ１８で反射して略平行光線とし、外部へと射出する。本例では、光源ランプ１７として高圧水銀ランプを採用しているが、これ以外にメタルハライドランプやハロゲンランプを採用することもある。また、本例では、楕円面鏡からなるリフレクタ１８の射出面に平行化凹レンズ１２を配置した構成を採用しているが、リフレクタ１８として放物面鏡を採用することもできる。
【００２３】
第１レンズアレイ１３は、照明光軸方向から見て略矩形状の輪郭を有する小レンズがマトリクス状に配列された構成を具備している。各小レンズは、光源ランプ１７から射出された光束を部分光束に分割し、照明光軸方向に射出する。
第２レンズアレイ１４は、第１レンズアレイ１３と略同様の構成であり、小レンズがマトリクス状に配列された構成を具備する。この第２レンズアレイ１４は、重畳レンズ１６とともに、第１レンズアレイ１３の各小レンズの像を後述する光変調装置としての液晶パネル上に結像させる機能を有する。
【００２４】
偏光変換素子１５は、第２レンズアレイ１４からの光を１種類の偏光光に変換するものであり、これにより、光学装置４０での光の利用効率が高められている。
具体的に、偏光変換素子１５によって１種類の偏光光に変換された各部分光束は、重畳レンズ１６によって最終的に光学装置４０の後述する液晶パネル上にほぼ重畳される。偏光光を変調するタイプの液晶パネルを用いたプロジェクタでは、１種類の偏光光しか利用できないため、ランダムな偏光光を発する光源ランプ１７からの光束の略半分が利用されない。このため、偏光変換素子１５を用いることにより、光源ランプ１７から射出された光束を略１種類の偏光光に変換し、光学装置４０における光の利用効率を高めている。なお、このような偏光変換素子１５は、例えば、特開平８−３０４７３９号公報に紹介されている。
【００２５】
色分離光学系２０は、インテグレータ照明光学系１０から射出された光束を曲折する反射ミラー２１と、２枚のダイクロイックミラー２２，２３と、反射ミラー２４とを備え、ダイクロイックミラー２２，２３によりインテグレータ照明光学系１０から射出された複数の部分光束を赤（Ｒ）、緑（Ｇ）、青（Ｂ）の３色の色光に分離する機能を有している。なお、本例では、反射ミラー２４は、ライトガイド６０に対して姿勢を調整することができるようになっている。
リレー光学系３０は、入射側レンズ３１と、リレーレンズ３３と、反射ミラー３２，３４とを備え、色分離光学系２０で分離された色光である赤色光を後述する赤色光用の液晶パネルまで導く機能を有している。
【００２６】
この際、色分離光学系２０のダイクロイックミラー２２では、インテグレータ照明光学系１０から射出された光束のうち、赤色光成分と緑色光成分とは反射し、青色光成分は透過する。ダイクロイックミラー２２によって透過した青色光は、反射ミラー２４で反射し、フィールドレンズ２５を通って、後述する青色光用の液晶パネルに到達する。このフィールドレンズ２５は、第２レンズアレイ１４から射出された各部分光束をその中心軸（主光線）に対して平行な光束に変換する。他の緑色光用、赤色光用の液晶パネルの光入射側に設けられたフィールドレンズ２５も同様である。
【００２７】
また、ダイクロイックミラー２２を反射した赤色光と緑色光のうちで、緑色光は、ダイクロイックミラー２３によって反射し、フィールドレンズ２５を通って、後述する緑色光用の液晶パネルに到達する。一方、赤色光は、ダイクロイックミラー２３を透過してリレー光学系３０を通り、さらにフィールドレンズ２５を通って、後述する赤色光用の液晶パネルに到達する。
なお、赤色光にリレー光学系３０が用いられているのは、赤色光の光路の長さが他の色光の光路長さよりも長いため、光の発散等による光の利用効率の低下を防止するためである。すなわち、入射側レンズ３１に入射した部分光束をそのまま、フィールドレンズ２５に伝えるためである。また、リレー光学系３０には、３つの色光のうちの赤色光を通す構成としたが、これに限らず、例えば、青色光を通す構成としてもよい。
【００２８】
光学装置４０は、入射された光束を画像情報に応じて変調してカラー画像を形成するものであり、色分離光学系２０で分離された各色光が入射される３つの入射側偏光板４２と、各入射側偏光板４２の後段に配置される光変調装置としての液晶パネル４１Ｒ，４１Ｇ，４１Ｂ（赤色光用の液晶パネルを４１Ｒ、緑色光用の液晶パネル４１Ｇ、青色光用の液晶パネルを４１Ｂとする）と、視野角補正板４３と、射出側偏光板４４と、クロスダイクロイックプリズム４５とを備える。そして、これらのうち、液晶パネル４１Ｒ，４１Ｇ，４１Ｂと、光学変換素子としての視野角補正板４３および射出側偏光板４４と、クロスダイクロイックプリズム４５が一体化されて光学装置本体が形成される。なお、光学装置本体の詳細については、後述する。
【００２９】
液晶パネル４１Ｒ，４１Ｇ，４１Ｂは、詳しくは後述するが、色分離光学系２０で分離された各色光を画像情報に応じて変調する光変調素子としての３つのパネル本体と、これらパネル本体を収納する３つの光変調素子保持枠とを備えている。
このうち、パネル本体は、例えば、ポリシリコンＴＦＴをスイッチング素子として用いたものであり、色分離光学系２０で分離された各色光は、これらパネル本体と、これらの前段および後段に配置される入射側偏光板４２および射出側偏光板４４によって、画像情報に応じて変調されて光学像を形成する。
【００３０】
入射側偏光板４２は、色分離光学系２０で分離された各色光のうち、一定方向の偏光光のみ透過させ、その他の光束を吸収するものであり、水晶、サファイア等の基板に偏光膜が添付されたものである。また、基板を用いずに、偏光膜をフィールドレンズ２５に貼り付けてもよい。
視野角補正板４３は、基板上に液晶パネル４１Ｒ，４１Ｇ，４１Ｂで形成された光学像の視野角を補正する機能を有する光学変換膜が形成されたものであり、このような視野角補正板４３を配置することにより、投写画像の視野角が拡大されかつ、投写画像のコントラストが大幅に向上する。
射出側偏光板４４は、液晶パネル４１Ｒ，４１Ｇ，４１Ｂで光変調された光束のうち、所定方向の偏光光のみ透過させ、その他の光束を吸収するものであり、本例では、２枚の第１偏光板（プリポラライザ）４４Ｐおよび第２偏光板（アナライザ）４４Ａから構成されている。このように射出側偏光板４４を２枚構成としたのは、入射する偏光光を、第１偏光板４４Ｐ、第２偏光板４４Ａのそれぞれで按分させて吸収することにより、偏光光で発生する熱を両偏光板４４Ｐ，４４Ａで按分させ、それぞれの過熱を抑えるためである。
【００３１】
クロスダイクロイックプリズム４５は、射出側偏光板４４から射出され、色光毎に変調された光学像を合成してカラー画像を形成するものである。
クロスダイクロイックプリズム４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００３２】
投写レンズ５０は、光学装置４０により形成された光学像を拡大投写する投写光学系としての機能を具備するものであり、筒状の鏡筒内に複数のレンズが収納された組レンズとして構成される。
ライトガイド６０は、射出成形等による合成樹脂製品であり、図示は省略するが、上述した光学部品１０〜４０を内部に収納するとともに投写レンズ５０を光学部品１０〜４０に対する所定位置に設置する下ライトガイドと、下ライトガイドの開口部分を塞ぐ上ライトガイドとから構成されている。
【００３３】
〔光学装置本体の構造〕
図２は、光学装置本体４０Ａの概略構成を示す分解斜視図である。なお、図２では、説明を簡略化するため、液晶パネル４１Ｇ側を分解した図であり、他の液晶パネル４１Ｒ，４１Ｂ側についても液晶パネル４１Ｇ側と略同様の構成である。以下の説明では、液晶パネル４１Ｇ側を主に説明する。
光学装置本体４０Ａは、図２に示すように、液晶パネル４１Ｒ，４１Ｇ，４１Ｂと、視野角補正板４３と、射出側偏光板４４と、保持枠支持板４６と、光学変換素子保持枠４７と、固定部材としてのねじ４８と、クロスダイクロイックプリズム４５と、ピン状部材４９とを備える。
【００３４】
液晶パネル４１Ｒ，４１Ｇ，４１Ｂは、図２に示すように、光変調素子としてのパネル本体４１１と、このパネル本体４１１を収納する光変調素子保持枠４１２とを備えている。
パネル本体４１１は、図示を略したが、対向配置される一対の矩形状の透明基板内に液晶が密封封入されたものであり、一対の透明基板の入射側および射出側には防塵ガラスが貼り付けられている。
光変調素子保持枠４１２は、パネル本体４１１を収納する凹部を有する矩形状の部材である。この光変調素子保持枠４１２には、平面視略中央部分に開口部４１２Ａ（図２中、液晶パネル４１Ｂ参照）が形成され、平面視略四隅部分に孔４１３が形成されている。
そして、光変調素子保持枠４１２の凹部にパネル本体４１１を収納すると、開口部４１２Ａを介してパネル本体４１１の略中央部分が外部に露出し、この部分が画像形成領域となる。すなわち、各液晶パネル４１Ｒ，４１Ｇ，４１Ｂのこの部分に各色光Ｒ，Ｇ，Ｂが導入され、画像情報に応じて光学像が形成される。
【００３５】
射出側偏光板４４は、第１偏光板（プリポラライザ）４４Ｐおよび第２偏光板（アナライザ）４４Ａから構成され、第２偏光板４４Ａは、図２に示すように、水晶基板４４Ａ１上に、偏光膜４４Ａ２が貼り付けられて構成されている。なお、第１偏光板４４Ｐは、図示は省略したが、第２偏光板４４Ａと同様に、水晶基板上に偏光膜が貼り付けられた構成を有している。また、第１偏光板４４Ｐおよび第２偏光板４４Ａは、詳しくは後述するが、互いの偏光軸が略平行となるように保持枠支持板４６および光学変換素子保持枠４７にそれぞれ配置される。また、基板として水晶を用いたがこれに限らず、サファイア等の偏光特性のある透明基板を用いてもよい。
【００３６】
図３は、保持枠支持板４６の構造を示す斜視図である。
保持枠支持板４６は、光学変換素子保持枠４７を回動自在に支持するとともに、視野角補正板４３、および射出側偏光板４４の第２偏光板４４Ａを保持する。この保持枠支持板４６は、図３に示すように、矩形板状体４６１と、この矩形板状体４６１の互いに平行な一対の左右辺縁に位置し、該矩形板状体４６１の端縁に沿って延びるように突設される一対の起立片４６２と、一対の起立片４６２から対向する起立片４６２に向けて延出する延出部４６３とを備える。
【００３７】
矩形板状体４６１は、略中央部分に開口部４６１Ａが形成された矩形枠状の板体で構成されている。
この矩形板状体４６１において、上端縁略中央部分には、上方に向けて凸となり、開口部４６１Ａの中心位置、すなわち、射出側偏光板４４に入射する光束の光軸位置を中心として平面視円弧状の保持枠支持面４６１Ｂが形成されている。また、この保持枠支持面４６１Ｂの円弧状頂部位置には、ねじ４８と螺合する固定部材取付部としてのねじ孔４６１Ｃが形成されている。
また、この矩形板状体４６１において、開口部４６１Ａの上下辺縁には、熱間挙動差吸収用の切り欠き４６１Ｄが形成されている。
さらに、この矩形板状体４６１において、裏面には、開口部４６１Ａの左右辺縁に、厚み方向に窪む凹部４６１Ｅが形成されている。また、この裏面には、図示を略したが、シボ加工が施され、この裏面がクロスダイクロイックプリズム４５の光束入射側端面に接着剤等により固定される。このように凹部４６１Ｅを設けることにより、該凹部４６１Ｅにドライバ等を差し込むことでクロスダイクロイックプリズム４５から保持枠支持板４６を取り外し易くなり、リワーク性が向上する。
【００３８】
一対の起立片４６２は、互いに対向するそれぞれの端面に、該起立片４６２の突出方向と直交する方向に延びる突条部４６２Ａが形成されている。この突条部４６２Ａは、互いに対向するそれぞれの端面の突出方向略中央部分に位置し、これら端面をそれぞれ２つの領域に区画している。そして、これら２つの領域に光学変換素子保持枠４７および第２偏光板４４Ａが離隔配置される。
また、一対の起立片４６２の先端側端部には、該端部に沿って視野角補正板４３を支持する支持面４６２Ｂと、視野角補正板４３の外形位置基準となる位置決め部４６２Ｃが形成されている。
【００３９】
延出部４６３は、一対の起立片４６２から対向する起立片４６２に向けて延出し、上下にそれぞれ一対ずつ計４つで構成されている。
上方に位置する一対の延出部４６３は、一対の起立片４６２の突出方向端部の上方の角隅部分から対向する起立片４６２に向けて延出する。
下方に位置する一対の延出部４６３は、一対の起立片４６２の下方側端部から対向する起立片４６２に向けて延出する。そして、この下方に位置する一対の延出部４６３の上面が、第２偏光板４４Ａの端部を支持する支持面４６３Ａとなる。
これら４つの延出部４６３において、該延出部４６３の矩形板状体４６１と対向する端面と反対側の端面には、後述するピン状部材４９の一端側端部が当接し、ピン状部材４９を介して各液晶パネル４１Ｒ，４１Ｇ，４１Ｂを支持する。
【００４０】
上述した保持枠支持板４６は、アルミニウム合金製であり、例えば、射出成形等の成形により一体的に形成される。なお、保持枠支持板４６は、アルミニウム合金に限らず、アルミニウム、マグネシウム、チタンあるいはこれらを主材料とした合金等の金属によって構成してもよい。また、アクリル材、カーボンフィラー入りのポリカーボネート、ポリフェニレンサルファイド、液晶樹脂等の樹脂等で構成してもよい。
そして、この保持枠支持板４６を射出成形により成形する場合には、例えば３つのブロックを有する図示しない金型にて成形が実施される。
【００４１】
金型は、コアブロック、キャビティブロックおよびスライドブロックの３つのブロックを有する。そして、これら３つのブロックを組み合わせ、所定の温度で金型を加熱した状態でキャビティ内に成形材料を流し込む。成形を実施した後には、図３に示す矢印Ａ，Ｂ，Ｃの方向にそれぞれコアブロック、キャビティブロックおよびスライドブロックを成形品に対して移動させることで、成形品が取り出される。ここで、コアブロックにより延出部４６３側が形成され、キャビティブロックにより矩形板状体４６１側が形成され、スライドブロックにより矩形板状体４６１および延出部４６３の間に位置する起立片４６２の一部が形成される。すなわち、成形品には、図３に示すように、３つのブロックが組み合うパーティングラインＰＬが形成される。
【００４２】
図４は、光学変換素子保持枠４７の構造を示す斜視図である。
光学変換素子保持枠４７は、第１偏光板４４Ｐを保持するとともに保持枠支持板４６に回動自在に支持され、保持枠支持板４６に支持される第２偏光板４４Ａに対する第１偏光板４４Ｐの姿勢調整を実施する。この光学変換素子保持枠４７は、図４に示すように、板状部材４７１と、保持枠突出部４７２とを備える。
板状部材４７１は、略中央部分に開口部４７１Ａ（図２）を有する矩形枠状に形成された板体である。
この板状部材４７１において、開口部４７１Ａ（図２）の光束入射側周縁部分には、厚み方向に窪む凹部４７１Ｂが形成されている。この凹部４７１Ｂは、第１偏光板４４Ｐの高さ寸法と略同一の寸法を有している。そして、第１偏光板４４Ｐは、凹部４７１Ｂに接着剤または両面テープ等により保持固定される。
【００４３】
保持枠突出部４７２は、板状部材４７１の上方側端縁略中央部分から該板状部材４７１の板面に沿って上方に延出し、先端部分が板面と略法線方向に曲折している。
この保持枠突出部４７２において、曲折する角部分には、幅方向略中央部分が下方に向けて凸となり、後述する姿勢調整装置の姿勢調整部と係合する係合孔４７２Ａが形成されている。そして、この係合孔４７２Ａの凸状頂部位置は、板状部材４７１の略中心位置、すなわち、保持する第１偏光板４４Ｐに入射する光束の光軸位置と、幅方向の位置が一致する。
また、この保持枠突出部４７２において、板状部材４７１の板面と略法線方向に曲折した端面は、下方に向けて凹となり、第１偏光板４４Ｐに入射する光束の光軸を中心とする平面視円弧状に形成されている。そして、この端面の下方側が曲面としての摺動面４７２Ｂとなり、光学変換素子保持枠４７は、保持枠支持板４６の保持枠支持面４６１Ｂ上に摺動面４７２Ｂが当接した状態で支持される。すなわち、光学変換素子保持枠４７は、保持枠支持板４６の保持枠支持面４６１Ｂ上で摺動面４７２Ｂが摺動可能な状態で支持され、光軸に直交する面内で該光軸を中心として第１偏光板４４Ｐの姿勢調整が可能となっている。
さらに、この保持枠突出部４７２において、板状部材４７１の板面と略法線方向に曲折した端面には、上方側の端面から摺動面４７２Ｂに貫通する長孔としてのトラック孔４７２Ｃが形成されている。このトラック孔４７２Ｃは、保持枠支持板４６に対する光学変換素子保持枠４７の摺動方向に延びるように形成されている。そして、保持枠支持板４６に光学変換素子保持枠４７を設置した状態では、トラック孔４７２Ｃを介して、保持枠支持板４６の保持枠支持面４６１Ｂに形成されたねじ孔４６１Ｃが露出する。
上述した光学変換素子保持枠４７は、保持枠支持板４６と同様に、アルミニウム合金で構成される。なお、光学変換素子保持枠４７は、アルミニウム合金に限らず、アルミニウム、マグネシウム、チタンあるいはこれらを主材料とした合金等の金属によって構成してもよい。また、アクリル材、カーボンフィラー入りのポリカーボネート、ポリフェニレンサルファイド、液晶樹脂等の樹脂等で構成してもよい。
【００４４】
ねじ４８は、光学変換素子保持枠４７のトラック孔４７２Ｃを介して保持枠支持板４６のねじ孔４６１Ｃと螺合する。そして、このねじ４８の回転端は、トラック孔４７２Ｃの幅方向寸法よりも大きい寸法を有し、ねじ４８をねじ孔４６１Ｃに螺合させることで、光学変換素子保持枠４７が保持枠支持板４６に固定される。
【００４５】
クロスダイクロイックプリズム４５は、図２に示すように、その下面にプリズム固定板４５１が紫外線硬化型接着剤により固着されている。このプリズム固定板４５１は、クロスダイクロイックプリズム４５の対角線に沿って延びる脚部４５１Ａを備え、各脚部４５１Ａの先端部分には孔４５１Ｂが形成されている。
【００４６】
ピン状部材４９は、光束射出側端部から光束入射側端部にかけて細くなる略円柱状に形成され、液晶パネル４１Ｒ，４１Ｇ，４１Ｂを構成する光変調素子保持枠４１２の孔４１３に対応して４つで構成される。そして、このピン状部材４９を光変調素子保持枠４１２の孔４１３に挿通し、一端側端部を保持枠支持板４６の延出部４６３の光束入射側端面に接着剤等で固定することで、保持枠支持板４６に液晶パネル４１Ｒ，４１Ｇ，４１Ｂが支持される。
なお、ピン状部材４９は、紫外線光を透過する材料から構成され、例えば、アクリル材、光学ガラス、水晶、サファイア、石英、または蛍石等で構成される。また、ピン状部材４９は、紫外線光を透過する材料に限らず、保持枠支持板４６および光学変換素子保持枠４７と同一の部材にて構成してもよい。
【００４７】
〔姿勢調整装置の構造〕
図５および図６は、姿勢調整装置１００の構造を示す図である。具体的に、図５は、姿勢調整装置１００の側面図である。また、図６は、姿勢調整装置１００の平面図である。なお、図５および図６では、姿勢調整装置１００の光束射出部から射出される光束の光軸方向をＺ軸とし、このＺ軸に直交する２つの軸をそれぞれＸ軸およびＹ軸とする。
姿勢調整装置１００は、射出側偏光板４４の姿勢調整を実施する。この姿勢調整装置１００は、図５および図６に示すように、支持台１１０と、載置部１２０と、光束射出部１３０と、姿勢調整部１４０と、基準偏光板１５０と、照度検出部１６０とを備える。
【００４８】
支持台１１０は、載置部１２０、光束射出部１３０、姿勢調整部１４０、基準偏光板１５０、照度検出部１６０を支持する。この支持台１１０は、その上面にＺ軸に沿ってレール１１０Ａが形成され、このレール１１０Ａに沿って各部材１２０〜１６０をＺ軸方向に移動自在に支持する。また、この支持台１１０の下方には、具体的な図示は省略するが、光束射出部１３０に調整用の光束を射出させる調整用光源装置、および姿勢調整部１４０の後述する光学変換素子吸着部に光学変換素子を真空吸着させるための吸引装置が設置されている。
【００４９】
載置部１２０は、支持台１１０の上面に平行に延びる板体から構成され、その上面にてクロスダイクロイックプリズム４５を載置固定する。この載置部１２０は、図５または図６に示すように、所定位置で後述する照度検出部１６０に支持され、その上面にはクロスダイクロイックプリズム４５のプリズム固定板４５１の脚部４５１Ａの孔４５１Ｂ（図６）に対応する固定用孔１２０Ａを有する。そして、ねじ等によりクロスダイクロイックプリズム４５を後述する光束射出部１３０から射出される光束の光軸に対する所定位置に載置固定する。
【００５０】
光束射出部１３０は、支持台１１０の下方に設置される図示しない調整用光源装置から射出される光束を導光する光ファイバ１３１と、この光ファイバ１３１を所定位置で支持する光ファイバ支持部１３２とを備える。
このうち、光ファイバ支持部１３２は、側面視Ｌ字状の支持体１３２Ａと、この支持体１３２Ａの下面に設けられ、支持台１１０のレール１１０Ａと係合するスライダ１３２Ｂ（図５）とを備える。
支持体１３２Ａは、側面視Ｌ字状に形成され、Ｌ字状の２つの端面が支持台１１０の上面にそれぞれ直交、および平行するように配置される。そして、支持台１１０の上面に直交する端面には、光ファイバ１３１の先端側を挿通可能とする孔１３２Ａ１が形成されている。
スライダ１３２Ｂは、支持台１１０の上面と平行に延びる支持体１３２ＡのＬ字状端面の下面に設けられ、支持台１１０のレール１１０Ａと係合する図示しない係合溝を有し、レール１１０Ａ上を摺動自在に構成される。
【００５１】
図７は、姿勢調整部１４０の構造を示す図である。具体的に、図７は、図５および図６における＋Ｚ軸方向から姿勢調整部１４０を見た図である。
姿勢調整部１４０は、Ｘ−Ｙ平面内で射出側偏光板４４を回転させて射出側偏光板４４の姿勢調整を実施する。この姿勢調整部１４０は、図５ないし図７に示すように、マイクロメータ１４２が取り付けられる基部１４１と、回転部１４３と、コイルばね１４４と、光学変換素子吸着部１４５と、光学変換素子保持枠係合部１４６とを備える。
基部１４１は、支持台１１０の上面に平行に延びる第１基部１４１Ａと、この第１基部１４１Ａの下面に設けられ、支持台１１０のレール１１０Ａと係合するスライダ１４１Ｂと、第１基部１４１Ａの上面から略直交して突設される第２基部１４１Ｃとを備える。
第１基部１４１Ａは、支持台１１０の上面に平行に延びる板体から構成される。
スライダ１４１Ｂは、第１基部１４１Ａの下面に設けられ、支持台１１０のレール１１０Ａと係合する係合溝１４１Ｂ１（図７）を有し、レール１１０Ａ上を摺動自在に構成される。
第２基部１４１Ｃは、光束射出部１３０から射出される光束に略直交する板体から構成され、光束の光軸位置には、回転部１４３を挿通し該回転部１４３を回転自在に支持する支持孔１４１Ｃ１（図５）が形成されている。また、第２基部１４１Ｃの上端縁左側部分（図７中の左側部分）には、上方に延出し、マイクロメータ１４２が取り付けられ、回転部１４３の回転位置を調整する回転位置調整部１４１Ｃ２が形成されている。
【００５２】
回転部１４３は、第２基部１４１Ｃの支持孔１４１Ｃ１（図５）に挿通され第２基部１４１Ｃに支持される第１回転部１４３Ａと、この第１回転部１４３Ａの光束射出側に位置する第２回転部１４３Ｂとを備える。
第１回転部１４３Ａは、第２基部１４１Ｃと平行に延び、第２基部１４１Ｃの光束射出側端面と当接する板体１４３Ａ１と、この板体１４３Ａ１の光束入射側端面から突出し、第２基部１４１Ｃの支持孔１４１Ｃ１（図５）に挿通される挿通部１４３Ａ２とを備える。
板体１４３Ａ１には、光束射出部１３０から射出される光束の光軸位置に光束透過用の図示しない孔が形成されている。また、板体１４３Ａ１の上端右側部分（図７中、右側部分）には、上方に延出し、回転部１４３の回転位置を規制する回転位置規制部１４３Ａ３が形成されている。そして、回転位置調整部１４１Ｃ２に取り付けられたマイクロメータ１４２のロッド１４２Ａ先端部分は、この回転位置規制部１４３Ａ３に当接する。
挿通部１４３Ａ２は、軸が光束射出部１３０から射出される光束の光軸と一致する円筒状に構成され、第２基部１４１Ｃの支持孔１４１Ｃ１に挿通されるとともに支持孔１４１Ｃ１の内周面上を該挿通部１４３Ａ２の外周面が摺動する。そして、この挿通部１４３Ａ２の摺動により、回転部１４３が光軸を中心として回転する。
【００５３】
第２回転部１４３Ｂは、第１回転部１４３Ａを構成する板体１４３Ａ１の光束射出側端面に固定される矩形状の板体であり、光束射出部１３０から射出される光束の光軸位置には、光束透過用の図示しない孔が形成されている。また、第２回転部１４３Ｂの光束射出側端面には、光学変換素子吸着部１４５を着脱自在とする取付部１４３Ｂ１（図７）が形成されている。さらに、第２回転部１４３Ｂの側端面には、光学変換素子吸着部１４５へ空気を流通させるための空気流通孔１４３Ｂ２（図５）が形成されている。この空気流通孔１４３Ｂ２は、支持台１１０の下方に設置される図示しない吸引装置と所定の図示しないエアーチューブを介して接続される。
【００５４】
コイルばね１４４は、基部１４１の回転位置調整部１４１Ｃ２、および回転部１４３の回転位置規制部１４３Ａ３を近接する方向に付勢する。そして、図７に示すように、マイクロメータ１４２を回転させてロッド１４２Ａを右方向に突出させることで回転位置規制部１４３Ａ３が回転位置調整部１４１Ｃ２に対して離間する方向に移動し、回転部１４３が時計回りに回転する。一方、マイクロメータ１４２を回転させてロッド１４２Ａを左方向に移動させると、コイルばね１４４の付勢力により、回転位置規制部１４３Ａ３が回転位置調整部１４１Ｃ２に対して近接する方向に移動し、回転部１４３が反時計回りに回転する。
【００５５】
光学変換素子吸着部１４５は、多孔質性で伸縮自在な弾性部材であって、第２回転部１４３Ｂの取付部１４３Ｂ１（図７）に着脱自在に取り付けられる。この光学変換素子吸着部１４５が取付部１４３Ｂ１（図７）に取り付けられた際には、図５または図６に示すように、先端が第２回転部１４３Ｂの光束射出側端面よりも突出する。この光学変換素子吸着部１４５には、光束射出部１３０から射出される光束の光軸位置に光束透過用の孔１４５Ａ（図７）が形成されるとともに、この孔１４５Ａの周縁部分に、第２回転部１４３Ｂの空気流通孔１４３Ｂ２と接続する４つの孔１４５Ｂが形成されている。そして、図示しない吸引装置が駆動すると、図示しないエアーチューブ、空気流通孔１４３Ｂ２および４つの孔１４５Ｂを介して光学変換素子が光学変換素子吸着部１４５の先端に真空吸着される。また、この光学変換素子吸着部１４５は、回転部１４３の回転とともに回転し、真空吸着した光学変換素子を光軸を中心として回動させる。
【００５６】
光学変換素子保持枠係合部１４６は、第２回転部１４３Ｂの幅方向（図７中、左右方向）略中央部分に設けられ、すなわち、光束射出部１３０から射出される光束の光軸位置と幅方向の位置が一致するように設けられ、光学変換素子保持枠４７の係合孔４７２Ａと係合する。この光学変換素子保持枠係合部１４６は、第２回転部１４３Ｂの先端部分から光束射出側に延出し、延出した先端部分が下方に曲折する腕部１４６Ａと、腕部１４６Ａの先端の光束射出側端面から突出し、光学変換素子保持枠４７の係合孔４７２Ａ（図４）の凸状頂部位置に係合する係合突起１４６Ｂとを備える。そして、この光学変換素子保持枠係合部１４６は、回転部１４３の回転とともに回転し、光学変換素子保持枠４７の係合孔４７２Ａに係合する係合突起１４６Ｂにより該光学変換素子保持枠４７を光軸を中心として回動させる。
【００５７】
基準偏光板１５０は、姿勢調整部１４０にて射出側偏光板４４の姿勢調整を実施する際の基準となる偏光板である。具体的に、この基準偏光板１５０は、入射側偏光板４２および射出側偏光板４４と同様に、水晶等からなる基板に偏光膜が貼り付けられて構成されている。そして、この基準偏光板１５０は、偏光軸が入射側偏光板４２の偏光軸と平行となり、光束射出部１３０から射出される光束の光軸が略中心位置となるように、後述する照度検出部１６０に取り付けられている。
【００５８】
照度検出部１６０は、光束射出部１３０から射出され、姿勢調整対象となる射出側偏光板４４および基準偏光板１５０を介した光束の照度を測定する照度計１６１と、この照度計１６１、載置部１２０、および基準偏光板１５０を支持する支持体１６２とを備える。
このうち、支持体１６２は、基部１６２Ａと、この基部１６２Ａの下面に設けられるスライダ１６２Ｂと、基部１６２Ａの上面に立設される固定部１６２Ｃとを備える。
基部１６２Ａは、支持台１１０の上面に平行に延びる板体から構成される。
スライダ１６２Ｂは、光束射出部１３０のスライダ１３２Ｂと略同様に、支持台１１０のレール１１０Ａと係合する図示しない係合溝を有し、レール１１０Ａ上を摺動自在に構成される。
【００５９】
固定部１６２Ｃは、基部１６２Ａの上面に直交するように突設される第１固定部１６２Ｃ１と、この第１固定部１６２Ｃ１の光束入射側に固定される第２固定部１６２Ｃ２と、第１固定部１６２Ｃ１の光束射出側に固定される第３固定部１６２Ｃ３とを備える。
第１固定部１６２Ｃ１は、光束射出部１３０から射出される光束に略直交する板体から構成され、光束の光軸位置には、光束透過用の図示しない孔が形成されている。
第２固定部１６２Ｃ２は、第１固定部１６２Ｃ１の光束入射側端面に取り付けられる板体であり、第１固定部１６２Ｃ１と同様に、光束の光軸位置に光束透過用の図示しない孔が形成されている。また、この第２固定部１６２Ｃ２は、光束入射側端面の下方側端部に載置部１２０が固定されるとともに、前記孔の中心位置に基準偏光板１５０の中心位置が位置するように基準偏光板１５０が取り付けられる。
第３固定部１６２Ｃ３は、光束射出部１３０から射出され、第２固定部１６２Ｃ２および第１固定部１６２Ｃ１を通過した光束を検出可能な位置に照度計１６１を固定する。
【００６０】
〔光学変換素子の姿勢調整方法〕
次に、上述した姿勢調整装置１００による射出側偏光板４４の姿勢調整方法を図面に基づいて説明する。
図８は、射出側偏光板４４の姿勢調整方法を説明するフローチャートである。
図９および図１０は、射出側偏光板４４の姿勢調整方法を説明するための図である。
先ず、プリズム固定板４５１の所定位置に位置決め固定されたクロスダイクロイックプリズム４５の光束入射側端面の所定位置に、接着剤等により保持枠支持板４６を固定した状態で、図９に示すように、これらクロスダイクロイックプリズム４５、プリズム固定板４５１、および保持枠支持板４６を姿勢調整装置１００の載置部１２０に載置固定する（処理Ｓ１）。
【００６１】
また、支持台１１０の下方に設置される図示しない調整用光源装置を駆動させ、光束射出部１３０から光束を射出させる（処理Ｓ２）。
次に、第２偏光板４４Ａの水晶基板４４Ａ１を保持枠支持板４６の上方から、該保持枠支持板４６の矩形板状体４６１、一対の起立片４６２、および延出部４６３で囲まれる空間のうち、突条部４６２Ａの光束射出側の空間に挿入する。そして、支持台１１０の下方に設置される図示しない吸引装置を駆動させ、姿勢調整部１４０の光学変換素子吸着部１４５にて水晶基板４４Ａ１を吸着保持可能な状態にする。この後、姿勢調整部１４０をスライダ１４１Ｂによりクロスダイクロイックプリズム４５に近接する方向に移動し、図９に示すように、光学変換素子吸着部１４５の先端部分を水晶基板４４Ａ１の光束入射端面に当接させ、該水晶基板４４Ａ１を吸着保持する（処理Ｓ３）。
処理Ｓ３の後、光束射出部１３０から射出され、水晶基板４４Ａ１および基準偏光板１５０を介した光束の照度を照度計１６１にて測定させる（処理Ｓ４）。
【００６２】
そして、処理Ｓ４において測定した照度を確認し、水晶基板４４Ａ１が最適位置であるか否かを判断する（処理Ｓ５）。
具体的に、水晶基板４４Ａ１は、所定の光学軸を有する。このため、水晶基板４４Ａ１の姿勢位置により、水晶基板４４Ａ１および基準偏光板１５０を介した光束の照度が異なる。ここでは、処理Ｓ４において測定した照度を確認し、水晶基板４４Ａ１および基準偏光板１５０を介した光束の照度が最も小さくなる位置を水晶基板４４Ａ１の最適位置とする。
【００６３】
処理Ｓ５において、「Ｎ」であると判断した場合、すなわち、水晶基板４４Ａ１が最適位置でないと判断した場合には、姿勢調整部１４０のマイクロメータ１４２を調整し、基部１４１に対して回転部１４３および光学変換素子吸着部１４５を回転させて水晶基板４４Ａ１の姿勢調整を実施する（処理Ｓ６）。
そして、処理Ｓ４〜Ｓ６を繰り返し実施した結果、処理Ｓ５において、「Ｙ」であると判断した場合、すなわち、水晶基板４４Ａ１が最適位置であると判断した場合には、姿勢調整部１４０をスライダ１４１Ｂによりクロスダイクロイックプリズム４５と離間する方向に移動し、光学変換素子吸着部１４５にて吸着保持した水晶基板４４Ａ１の光束入射側端面を保持枠支持板４６の突条部４６２Ａに当接させ、接着剤等により水晶基板４４Ａ１を保持枠支持板４６に貼り付ける（処理Ｓ７）。なお、保持枠支持板４６への水晶基板４４Ａ１の貼り付けは、姿勢調整する前に予め接着剤等を保持枠支持板４６の突条部４６２Ａ、または水晶基板４４Ａ１に塗布しておき、水晶基板４４Ａ１を突条部４６２Ａに当接させることで貼り付ける構成としてもよい。
【００６４】
処理Ｓ７において水晶基板４４Ａ１を保持枠支持板４６に貼り付けた後、光学変換素子吸着部１４５による水晶基板４４Ａ１の吸着状態を解除し、姿勢調整部１４０をスライダ１４１Ｂによりクロスダイクロイックプリズム４５と離間する方向に移動する。そして、第２偏光板４４Ａの偏光膜４４Ａ２を光学変換素子吸着部１４５により吸着保持させる（処理Ｓ８）。
処理Ｓ８の後、光束射出部１３０から射出され、偏光膜４４Ａ２、水晶基板４４Ａ１および基準偏光板１５０を介した光束の照度を照度計１６１にて測定させる（処理Ｓ９）。
そして、処理Ｓ９において測定した照度を確認し、偏光膜４４Ａ２が最適位置であるか否かを判断する（処理Ｓ１０）。
具体的に、基準偏光板１５０の偏光軸に対して、偏光膜４４Ａ２の偏光軸が直交する位置を偏光膜４４Ａ２の最適位置とする。すなわち、基準偏光板１５０は、その偏光軸方向がプロジェクタ１を構成する入射側偏光板４２の偏光軸と同一方向となるように姿勢調整装置１００に取り付けられているため、偏光膜４４Ａ２の偏光軸を基準偏光板１５０の偏光軸と直交する位置が偏光膜４４Ａ２の最適位置となる。そして、処理Ｓ１０では、偏光膜４４Ａ２、水晶基板４４Ａ１および基準偏光板１５０を介した光束の照度が最も小さくなる位置であるか否かを判断している。
【００６５】
処理Ｓ１０において、「Ｎ」であると判断した場合、すなわち、偏光膜４４Ａ２が最適位置でないと判断した場合には、処理Ｓ６と同様に、姿勢調整部１４０のマイクロメータ１４２を調整して偏光膜４４Ａ２の姿勢調整を実施する（処理Ｓ１１）。
そして、処理Ｓ９〜Ｓ１１を繰り返し実施した結果、処理Ｓ１０において、「Ｙ」であると判断した場合、すなわち、偏光膜４４Ａ２が最適位置であると判断した場合には、図９に示すように、姿勢調整部１４０をスライダ１４１Ｂによりクロスダイクロイックプリズム４５に近接する方向に移動し、光学変換素子吸着部１４５にて吸着保持した偏光膜４４Ａ２の光束射出側端面を保持枠支持板４６に貼り付けられた水晶基板４４Ａ１の光束入射側端面に当接させ、接着剤等により偏光膜４４Ａ２を水晶基板４４Ａ１に貼り付ける（処理Ｓ１２）。
【００６６】
処理Ｓ１２において偏光膜４４Ａ２を水晶基板４４Ａ１に貼り付けた後、光学変換素子吸着部１４５による偏光膜４４Ａ２の吸着状態を解除し、姿勢調整部１４０をスライダ１４１Ｂによりクロスダイクロイックプリズム４５と離間する方向に移動する。
そして、以下に示すように、第１偏光板４４Ｐが貼り付けられた光学変換素子保持枠４７を保持枠支持板４６に設置する（処理Ｓ１３）。
具体的に、先ず、図１０に示すように、姿勢調整部１４０から光学変換素子吸着部１４５を取り外す。この後、第１偏光板４４Ｐが貼り付けられた光学変換素子保持枠４７を保持枠支持板４６の上方から、該保持枠支持板４６の突条部４６２Ａの光束入射側の空間に挿入するとともに、光学変換素子保持枠４７を構成する保持枠突出部４７２の摺動面４７２Ｂを保持枠支持板４６の保持枠支持面４６１Ｂ上に載置する。さらに、保持枠支持板４６に対して光学変換素子保持枠４７を回動可能な状態となるように、ねじ４８を保持枠突出部４７２のトラック孔４７２Ｃを介して保持枠支持面４６１Ｂのねじ孔４６１Ｃに螺合しておく。
【００６７】
処理Ｓ１３において光学変換素子保持枠４７を保持枠支持板４６に設置した後、図１０に示すように、姿勢調整部１４０をスライダ１４１Ｂによりクロスダイクロイックプリズム４５に近接する方向に移動し、光学変換素子保持枠係合部１４６の係合突起１４６Ｂを光学変換素子保持枠４７の係合孔４７２Ａの凸状頂部位置に係合させる（処理Ｓ１４）。
処理Ｓ１４の後、光束射出部１３０から射出され、第１偏光板４４Ｐ、第２偏光板４４Ａおよび基準偏光板１５０を介した光束の照度を照度計１６１にて測定させる（処理Ｓ１５）。
そして、処理Ｓ１５において測定した照度を確認し、第１偏光板４４Ｐが最適位置であるか否かを判断する（処理Ｓ１６）。
具体的に、上述した偏光膜４４Ａ２の偏光軸に対して、第１偏光板４４Ｐの偏光軸が平行する位置を第１偏光板４４Ｐの最適位置とする。すなわち、処理Ｓ１６では、第１偏光板４４Ｐ、第２偏光板４４Ａおよび基準偏光板１５０を介した光束の照度が最も小さくなる位置であるか否かを判断している。
【００６８】
処理Ｓ１６において、「Ｎ」であると判断した場合、すなわち、第１偏光板４４Ｐが最適位置でないと判断した場合には、姿勢調整部１４０のマイクロメータ１４２を調整し、基部１４１に対して回転部１４３および光学変換素子保持枠係合部１４６を回転させて保持枠支持板４６に対して光学変換素子保持枠４７を回動させて第２偏光板４４Ａに対する第１偏光板４４Ｐの姿勢調整を実施する（処理Ｓ１７）。
そして、処理Ｓ１５〜Ｓ１７を繰り返し実施した結果、処理Ｓ１６において、「Ｙ」であると判断した場合、すなわち、第２偏光板４４Ａに対する第１偏光板４４Ｐの姿勢が最適位置であると判断した場合には、ねじ４８の螺合状態を変更し、保持枠支持板４６に対して光学変換素子保持枠４７を固定する（処理Ｓ１８）。
【００６９】
以上のような工程により、射出側偏光板４４の姿勢調整を実施した後、視野角補正板４３の外周を保持枠支持板４６の位置決め部４６２Ｃにて位置決めし、支持面４６２Ｂに接着剤または両面テープ等により貼り付ける。また、ピン状部材４９の外周面および一端側端部に紫外線硬化型接着剤を塗布した状態で、該ピン状部材４９を液晶パネル４１Ｒ，４１Ｇ，４１Ｂを構成する光変調素子保持枠４１２の孔４１３に挿通し、一端側端部を保持枠支持板４６の延出部４６３の光束入射側端面に当接させる。そして、ピン状部材４９の一端側端部と保持枠支持板４６との接合部、およびピン状部材４９と光変調素子保持枠４１２の接合部を摺動面として、液晶パネル４１Ｒ，４１Ｇ，４１Ｂの相互位置を合わせながら位置調整を実施する。この後、液晶パネル４１Ｒ，４１Ｇ，４１Ｂの光束入射側から紫外線を照射し、ピン状部材４９と、保持枠支持板４６および光変調素子保持枠４１２との間の紫外線硬化型接着剤を硬化させることで位置決め固定する。そして、光学装置本体４０Ａが製造される。
【００７０】
〔第１実施形態の効果〕
上述した第１実施形態によれば、以下の効果がある。
（１）光学装置本体４０Ａを構成する光学変換素子保持枠４７は、第１偏光板４４Ｐを保持し、第１偏光板４４Ｐに入射する光束の光軸を中心として回動自在に構成され、第１偏光板４４Ｐを、第２偏光板４４Ａに対して姿勢調整する。このことにより、第２偏光板４４Ａの偏光軸と第１偏光板４４Ｐの偏光軸とを略一致させることが可能となる。したがって、第２偏光板４４Ａに対する第１偏光板４４Ｐの姿勢調整を実施することで、光学装置４０にて高いコントラスト比を有する光学像を形成できる。
【００７１】
（２）光学装置本体４０Ａは、保持枠支持板４６を備え、この保持枠支持板４６の上端縁略中央部分には、保持枠支持面４６１Ｂが形成されている。また、光学変換素子保持枠４７には、保持枠支持面４６１Ｂと当接する摺動面４７２Ｂが形成されている。このことにより、保持枠支持板４６の保持枠支持面４６１Ｂに沿って光学変換素子保持枠４７を回動させることが容易となり、簡単な構造で容易に第１偏光板４４Ｐの姿勢調整を実施できる。
（３）保持枠支持面４６１Ｂは、保持枠支持板４６を構成する矩形板状体４６１の上端縁に位置し、入射光束の光軸を中心として上方に凸となり平面視円弧状に形成されている。また、摺動面４７２Ｂは、光学変換素子保持枠４７の板状部材４７１の上端端部から上方に延出し、さらに略法線方向に突出する保持枠突出部４７２に形成されている。このことにより、液晶パネル４１Ｒ，４１Ｇ，４１Ｂおよびクロスダイクロイックプリズム４５の間に、視野角補正板４３、第２偏光板４４Ａが介装されていても、保持枠支持板４６の上方から光学変換素子保持枠４７を容易に設置できる。また、保持枠支持板４６に対する光学変換素子保持枠４７の支持位置が上方に位置することとなるので、光学変換素子保持枠４７の着脱が容易となり、第１偏光板４４Ｐの交換等を容易に実施できる。
【００７２】
（４）保持枠支持板４６は、矩形板状体４６１、起立片４６２、および延出部４６３で構成されているので、これら矩形板状体４６１、起立片４６２、および延出部４６３で囲まれる空間に光学変換素子保持枠４７および第２偏光板４４Ａを挿入できる。したがって、光学変換素子保持枠４７および第２偏光板４４Ａを保持枠支持板４６にて一体化することで、液晶パネル４１Ｒ，４１Ｇ，４１Ｂおよびクロスダイクロイックプリズム４５間に介装される光学変換素子をコンパクトに纏めることができ、光学装置本体４０Ａの小型化を図れる。
（５）保持枠支持板４６および光学変換素子保持枠４７は、熱伝導性部材であるアルミニウム合金製であるので、光学変換素子保持枠４７にて保持する第１偏光板４４Ｐ、および保持枠支持板４６にて支持する第２偏光板４４Ａの双方に生じる熱を光学変換素子保持枠４７および保持枠支持板４６に放熱することでき、射出側偏光板４４の熱劣化を回避できる。
【００７３】
（６）一対の起立片４６２の内側面には、突条部４６２Ａがそれぞれ形成されているので、矩形板状体４６１、起立片４６２、および延出部４６３にて囲まれる空間のスペースを効率的に利用できる。また、この突条部４６２Ａにより、空間に挿入される光学変換素子保持枠４７および第２偏光板４４Ａの間での機械的な干渉を回避できる。
【００７４】
（７）保持枠支持面４６１Ｂには凸状頂部位置にねじ孔４６１Ｃが形成され、光学変換素子保持枠４７の保持枠突出部４７２にはトラック孔４７２Ｃが形成されている。このことにより、トラック孔４７２Ｃを介してねじ４８をねじ孔４６１Ｃに螺合しておき、光学変換素子保持枠４７の回動を実施する。そして、光学変換素子保持枠４７の回動に応じた第１偏光板４４Ｐの最適な位置でねじ４８の螺合状態を変更することで保持枠支持板４６の保持枠支持面４６１Ｂ上に光学変換素子保持枠４７を固定できる。また、光学変換素子保持枠４７は、ねじ４８により保持枠支持板４６に対して固定されているので、第１偏光板４４Ｐが第２偏光板４４Ａに対する最適な位置からずれた場合であっても、ねじ４８を緩めることで第１偏光板４４Ｐの位置を容易に修正できる。
【００７５】
（８）保持枠支持板４６は、光学変換素子保持枠４７を支持するとともに、ピン状部材４９を介して液晶パネル４１Ｒ，４１Ｇ，４１Ｂを支持するので、液晶パネル４１Ｒ，４１Ｇ，４１Ｂをクロスダイクロイックプリズム４５に対して取り付けるための部材を省略でき、光学装置本体４０Ａの製造コストの低減、および光学装置本体４０Ａの小型化を図れる。
（９）射出側偏光板４４は、第１偏光板４４Ｐおよび第２偏光板４４Ａにて構成される。このことにより、射出側偏光板４４を１つで構成する場合と比較して、射出側偏光板４４に生じる熱を第１偏光板４４Ｐおよび第２偏光板４４Ａにて按分でき、射出側偏光板４４の熱劣化を回避できる。
【００７６】
（１０）姿勢調整装置１００を構成する姿勢調整部１４０は、照度計１６１にて測定された照度に基づいて、光学変換素子保持枠４７を移動させて該光学変換素子保持枠４７に保持された第１偏光板４４Ｐを第２偏光板４４Ａに対して姿勢調整する。このことにより、第２偏光板４４Ａの偏光軸と第１偏光板４４Ｐの偏光軸とを略一致させることができる。したがって、高いコントラスト比を有する光学像を形成できる光学装置４０を容易に製造できる。また、この姿勢調整装置１００にて第１偏光板４４Ｐの姿勢調整を実施することで、製造される各光学装置本体４０Ａにて形成される光学像のコントラストのばらつきを低減できる。
【００７７】
（１１）姿勢調整装置１００を構成する姿勢調整部１４０は、第１偏光板４４Ｐの姿勢調整のみならず、第２偏光板４４Ａを構成する水晶基板４４Ａ１および偏光膜４４Ａ２をそれぞれ姿勢調整可能に構成されているので、第２偏光板４４Ａを入射側偏光板４２に対して最適な位置に姿勢調整することができ、また、この第２偏光板４４Ａに対して第１偏光板４４Ｐの姿勢調整を実施できる。したがって、入射側偏光板４２に対して第１偏光板４４Ｐおよび第２偏光板４４Ａを最適な位置に位置決めすることができ、より高いコントラスト比を有する光学像を形成できる光学装置４０を製造できる。
【００７８】
（１２）姿勢調整装置１００は、光学変換素子保持枠係合部１４６を有し、回転部１４３とともに光軸を中心として回動自在に構成されているので、光学変換素子保持枠４７における光軸を中心とした回動を確実に実施でき、第１偏光板４４Ｐの姿勢調整を良好に実施できる。
（１３）プロジェクタ１は、高いコントラスト比を有する光学像を形成できる光学装置４０を備えているので、投写レンズ５０にて鮮明な投写画像を投写できる。
【００７９】
〔第２実施形態〕
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、光学装置本体４０Ａは、保持枠支持板４６および光学変換素子保持枠４７を備え、光学変換素子保持枠４７は、保持枠支持板４６の保持枠支持面４６１Ｂ上を摺動することで第２偏光板４４Ａに対する第１偏光板４４Ｐの姿勢調整を実施する。また、第２偏光板４４Ａは、保持枠支持板４６に保持される。
これに対して第２実施形態では、第２偏光板４４Ａの偏光膜４４Ａ２は、クロスダイクロイックプリズム４５の光束入射側端面に貼り付けられる。また、プリズム固定板４５２は、クロスダイクロイックプリズム４５の上面に貼り付けられる。そして、光学変換素子保持枠４７Ｂは、保持枠支持板４６Ｂおよびプリズム固定板４５２に回動自在に支持され、偏光膜４４Ａ２に対する第１偏光板４４Ｐの姿勢調整を実施する。
【００８０】
具体的に、図１１は、第２実施形態に係る光学装置本体４０Ｂの概略構成を示す図である。なお、図１１は、液晶パネル４１Ｂ側から光学装置本体４０Ｂを見た側面図であり、説明を簡略化するために、液晶パネル４１Ｂ側を適宜省略して図示している。
光学装置本体４０Ｂは、図１１に示すように、第１実施形態で説明した液晶パネル４１Ｒ，４１Ｇ，４１Ｂ、第１偏光板４４Ｐ、第２偏光板４４Ａの偏光膜４４Ａ２、およびピン状部材４９と、クロスダイクロイックプリズム４５と、保持枠支持板４６Ｂと、光学変換素子保持枠４７Ｂと、固定部材としてのねじ４８Ｂとを備える。
【００８１】
図１２は、クロスダイクロイックプリズム４５の上面に固定されるプリズム固定板４５２を上方から見た平面図である。
台座としてのプリズム固定板４５２は、第１実施形態で説明したプリズム固定板４５１と同様に、孔４５１Ｂが形成された脚部４５１Ａを有するとともに、上面には平面視コ字状の保持枠支持面４５２Ａが形成されている。
保持枠支持面４５２Ａは、クロスダイクロイックプリズム４５の光束入射側端面に沿って３つ形成されて平面視コ字状の形状を有する。各保持枠支持面４５２Ａは、第１実施形態で説明した保持枠支持板４６の保持枠支持面４６１Ｂと略同様に、上方に向けて凸となり、クロスダイクロイックプリズム４５の各光束入射側端面に入射する光束の光軸位置を中心として平面視円弧状に形成されている。また、各保持枠支持面４５２Ａの円弧状頂部位置には、ねじ４８Ｂと螺合する固定部材取付部としてのねじ孔４５２Ｂがそれぞれ形成されている。
【００８２】
図１３は、保持枠支持板４６Ｂおよび光学変換素子保持枠４７Ｂの構造を示す分解斜視図である。
保持枠支持板４６Ｂは、図１３に示すように、略中央部分に開口部４６４が形成された矩形枠状の板体で構成され、光束射出側端面がクロスダイクロイックプリズム４５の光束入射側端面に接着剤等により固定される。
この保持枠支持板４６Ｂにおいて、光束入射側端面には、図１３に示すように、開口部４６４の上端縁近傍および下端縁近傍に、板体の面外方向に突出する突起としての３つの突起４６５が形成されている。これら突起４６５は、開口部４６４を通過する光束の光軸位置を中心とする仮想円の一部を構成するように形成されている。そして、これら突起４６５に光学変換素子保持枠４７Ｂが係合する。
また、この保持枠支持板４６Ｂにおいて、上端縁略中央部分および下端縁略中央部分には、図１３に示すように、熱間挙動差吸収用の切り欠き４６６が形成されている。
【００８３】
光学変換素子保持枠４７Ｂは、第１実施形態で説明した光学変換素子保持枠４７と同様に、板状部材４７１および保持枠突出部４７２とを備える。
板状部材４７１に形成された開口部４７１Ａの上端縁および下端縁には、保持枠支持板４６Ｂの突起４６５に係合する切り欠き４７１Ｃが形成されている。この切り欠き４７１Ｃは、３つの突起４６５の中心位置、すなわち開口部４７１Ａを通過する光束の光軸位置を中心とした円弧状に形成されている。
また、開口部４７１Ａの下方側角部分には、保持枠支持板４６Ｂに係合した際に、下方側に配置される２つのピン状部材４９をそれぞれ挿通可能とする切り欠き４７１Ｄが形成されている。
なお、光学変換素子保持枠４７Ｂの保持枠突出部４７２は、第１実施形態と同様であり、図１３では同一符号を付して説明を省略する。
また、上述した光学装置本体４０Ｂにおける射出側偏光板４４の姿勢調整を実施するための姿勢調整装置は、第１実施形態で説明した姿勢調整装置１００と略同様の構造を有するため、図示および説明を省略する。第１実施形態で説明した姿勢調整装置１００と異なる点は、姿勢調整装置１００の載置部１２０の構造が、プリズム固定板４５２を上方から支持する構造である点のみである。
【００８４】
次に、上述した光学装置本体４０Ｂにおける第１偏光板４４Ｐおよび偏光膜４４Ａ２の姿勢調整方法を図面に基づいて説明する。なお、第１偏光板４４Ｐおよび偏光膜４４Ａ２の姿勢調整を実施するための姿勢調整装置は、第１実施形態で説明した姿勢調整装置１００と略同様の構造であるため、以下では、姿勢調整装置１００と同一の符号を付して、第１偏光板４４Ｐおよび偏光膜４４Ａ２の姿勢調整方法を説明する。
図１４は、射出側偏光板４４の姿勢調整方法を説明するフローチャートである。
先ず、クロスダイクロイックプリズム４５を所定位置に位置決め固定したプリズム固定板４５２を姿勢調整装置１００の載置部１２０に上方から支持させる（処理Ｓ２０）。
また、第１実施形態で説明した処理Ｓ２と同様に、光束射出部１３０から光束を射出させる（処理Ｓ２１）。
【００８５】
次に、第１実施形態で説明した処理Ｓ８と同様に、第２偏光板４４Ａの偏光膜４４Ａ２を姿勢調整装置１００の光学変換素子吸着部１４５により吸着保持させる（処理Ｓ２２）。
そして、第１実施形態で説明した処理Ｓ９〜Ｓ１１と同様に、偏光膜４４Ａ２および基準偏光板１５０を介した光束の照度に基づいて偏光膜４４Ａ２の姿勢調整を実施する（処理Ｓ２３〜Ｓ２５）。
処理Ｓ２３〜Ｓ２５を繰り返し実施した結果、処理Ｓ２５において、偏光膜４４Ａ２が最適位置であると判断した場合には、姿勢調整部１４０をスライダ１４１Ｂによりクロスダイクロイックプリズム４５に近接する方向に移動し、光学変換素子吸着部１４５にて吸着保持した偏光膜４４Ａ２の光束射出側端面をクロスダイクロイックプリズム４５の光束入射側端面に当接させ、接着剤等により偏光膜４４Ａ２をクロスダイクロイックプリズム４５に貼り付ける（処理Ｓ２６）。
【００８６】
処理Ｓ２６において偏光膜４４Ａ２をクロスダイクロイックプリズム４５に貼り付けた後、光学変換素子吸着部１４５による偏光膜４４Ａ２の吸着状態を解除し、姿勢調整部１４０をスライダ１４１Ｂによりクロスダイクロイックプリズム４５と離間する方向に移動する。
そして、第１偏光板４４Ｐ、光学変換素子保持枠４７Ｂおよび保持枠支持板４６Ｂが一体化したプリポラライザユニットをクロスダイクロイックプリズム４５に対して設置する（処理Ｓ２７）。
具体的に、先ず、第１偏光板４４Ｐを光学変換素子保持枠４７Ｂの所定位置に貼り付ける（処理Ｓ２７１）。
【００８７】
次に、処理Ｓ２７１において第１偏光板４４Ｐが貼り付けられた光学変換素子保持枠４７Ｂを保持枠支持板４６Ｂに係合させる（処理Ｓ２７２）。
図１５は、保持枠支持板４６Ｂの突起４６５を光学変換素子保持枠４７Ｂに対してかしめた状態を示す図である。
光学変換素子保持枠４７Ｂを保持枠支持板４６Ｂに係合させる際には、光学変換素子保持枠４７Ｂの開口部４７１Ａ周縁に形成された切り欠き４７１Ｃ端縁に保持枠支持板４６Ｂの３つの突起４６５を当接させるとともに、保持枠支持板４６Ｂの光束入射側端面に光学変換素子保持枠４７Ｂの光束射出側端面を当接させる。そして、図１５に示すように、熱かしめ治具２００を用いて、保持枠支持板４６Ｂに対して光学変換素子保持枠４７Ｂを回動自在とする圧力で保持枠支持板４６Ｂの３つの突起４６５をかしめ、光学変換素子保持枠４７Ｂを保持枠支持板４６Ｂに係合させる。
図１６は、光学変換素子保持枠４７Ｂを保持枠支持板４６Ｂに係合させた状態を示す図である。
熱かしめ治具２００により３つの突起４６５をかしめると、図１６に示すように、３つの突起４６５は、保持枠支持板４６Ｂの開口部４６４と離間する方向に曲折され、光学変換素子保持枠４７Ｂが保持枠支持板４６Ｂに対して第１偏光板４４Ｐに入射する光束の光軸位置を中心として回動自在に支持される。
【００８８】
そして、処理Ｓ２７２において生成したプリポラライザユニット４０Ｂ１を、以下に示すように、クロスダイクロイックプリズム４５に対して設置する（処理Ｓ２７３）。
すなわち、プリポラライザユニット４０Ｂ１を構成する保持枠支持板４６Ｂの光束射出側端面を接着剤等により、クロスダイクロイックプリズム４５の光束入射側端面に固定するとともに、プリポラライザユニット４０Ｂ１を構成する光学変換素子保持枠４７Ｂの保持枠突出部４７２の摺動面４７２Ｂをプリズム固定板４５２の保持枠支持面４５２Ａ上に載置する。また、プリズム固定板４５２に対して光学変換素子保持枠４７Ｂを回動可能な状態となるように、ねじ４８Ｂを保持枠突出部４７２のトラック孔４７２Ｃを介して保持枠支持面４５２Ａのねじ孔４５２Ｂに螺合しておく。
【００８９】
処理Ｓ２７においてプリポラライザユニット４０Ｂ１をクロスダイクロイックプリズム４５に対して設置した後、第１実施形態で説明した処理Ｓ１４と同様に、姿勢調整装置１００を構成する姿勢調整部１４０の係合突起１４６Ｂを光学変換素子保持枠４７Ｂの係合孔４７２Ａの凸状頂部位置に係合させる（処理Ｓ２８）。
そして、第１実施形態で説明した処理Ｓ１５〜Ｓ１７と同様に、第１偏光板４４Ｐ、偏光膜４４Ａ２および基準偏光板１５０を介した光束の照度に基づいて偏光膜４４Ａ２に対する第１偏光板４４Ｐの姿勢調整を実施する（処理Ｓ２９〜Ｓ３１）。
処理Ｓ２９〜Ｓ３１を繰り返し実施した結果、処理Ｓ３１において、偏光膜４４Ａ２に対して第１偏光板４４Ｐの姿勢位置が最適位置であると判断した場合には、ねじ４８Ｂの螺合状態を変更し、プリズム固定板４５２に対して光学変換素子保持枠４７Ｂを固定する（処理Ｓ３２）。
【００９０】
以上のような工程により、偏光膜４４Ａ２および第１偏光板４４Ｐの姿勢調整を実施した後、ピン状部材４９の外周面および一端側端部に紫外線硬化型接着剤を塗布した状態で、該ピン状部材４９を液晶パネル４１Ｒ，４１Ｇ，４１Ｂを構成する光変調素子保持枠４１２の孔４１３に挿通し、一端側端部を光学変換素子保持枠４７Ｂを介して露出する保持枠支持板４６Ｂの光束入射側端面に当接させる。そして、ピン状部材４９の一端側端部と保持枠支持板４６との接合部、およびピン状部材４９と光変調素子保持枠４１２の接合部を摺動面として、液晶パネル４１Ｒ，４１Ｇ，４１Ｂの相互位置を合わせながら位置調整を実施する。この後、液晶パネル４１Ｒ，４１Ｇ，４１Ｂの光束入射側から紫外線を照射し、ピン状部材４９と、保持枠支持板４６および光変調素子保持枠４１２との間の紫外線硬化型接着剤を硬化させることで位置決め固定する。そして、光学装置本体４０Ｂが製造される。
【００９１】
〔第２実施形態の効果〕
上述した第２実施形態によれば、上記（１）、（７）〜（１３）と略同様の効果の他、以下の効果がある。
（１４）光学変換素子保持枠４７Ｂの開口部４７１Ａ周縁には、円弧状の切り欠き４７１Ｃが形成されている。また、保持枠支持板４６Ｂには、光学変換素子保持枠４７Ｂの切り欠き４７１Ｃ端縁に当接する３つの突起４６５を有している。このことにより、保持枠支持板４６Ｂの３つの突起４６５に沿って光学変換素子保持枠４７Ｂを回動させることが容易となり、光学変換素子保持枠４７Ｂに保持される第１偏光板４４Ｐの姿勢調整が容易に実施できる。
（１５）光学変換素子保持枠４７Ｂには切り欠き４７１Ｃを形成し、保持枠支持板４６Ｂには３つの突起４６５を形成することで、第１偏光板４４Ｐの姿勢調整構造を構成でき、光学変換素子保持枠４７Ｂおよび保持枠支持板４６Ｂの形状の簡素化を図れ、これら光学変換素子保持枠４７Ｂおよび保持枠支持板４６Ｂの製造を容易に実施できる。
【００９２】
（１６）光学変換素子保持枠４７Ｂを保持枠支持板４６Ｂに係合させる際、３つの突起４６５は、熱かしめ治具２００により光学変換素子保持枠４７Ｂの開口部４７１Ａと離間する方向に折曲されるので、光学変換素子保持枠４７Ｂがその面外方向に位置ずれしないように該光学変換素子保持枠４７Ｂを保持枠支持板４６Ｂに係合させることができ、保持枠支持板４６Ｂの３つの突起４６５に沿って光学変換素子保持枠４７Ｂを良好に回動させることができ、光学変換素子保持枠４７Ｂに保持される第１偏光板４４Ｐの姿勢調整を良好に実施できる。
【００９３】
（１７）光学変換素子保持枠４７Ｂは、ねじ４８Ｂによりプリズム固定板４５２に固定されるので、第１偏光板４４Ｐの姿勢調整を実施した後、第１偏光板４４Ｐを良好な姿勢位置で確実に支持できる。
【００９４】
（１８）プリズム固定板４５２は、クロスダイクロイックプリズム４５の上面に固定される。また、プリズム固定板４５２の上面には、保持枠支持面４５２Ａが形成されている。このことにより、保持枠支持板４６Ｂの３つの突起４６５、およびプリズム固定板４５２の保持枠支持面４５２Ａの双方に沿って光学変換素子保持枠４７Ｂを回動させることができる。したがって、光学変換素子保持枠４７Ｂを確実に支持でき、光学変換素子保持枠４７Ｂに保持される第１偏光板４４Ｐの姿勢調整をさらに良好に実施できる。
（１９）保持枠支持面４５２Ａは、プリズム固定板４５２の上面に位置し、入射光束の光軸を中心として上方に凸となり平面視円弧状に形成されている。このことにより、液晶パネル４１Ｒ，４１Ｇ，４１Ｂおよびクロスダイクロイックプリズム４５の間にプリズム固定板４５２の上方からプリポラライザユニット４０Ｂ１を容易に設置できる。
【００９５】
〔実施形態の変形〕
なお、本発明は、前記実施形態に限定されるものではなく、本発明の目的を達成できる他の構成等を含み、以下に示すような変形等も本発明に含まれる。
前記各実施形態では、光学変換素子保持枠４７，４７Ｂは、第１偏光板４４Ｐを保持し、第２偏光板４４Ａまたは偏光膜４４Ａ２に対する第１偏光板４４Ｐの姿勢調整を実施していたが、これに限らず、液晶パネル４１Ｒ，４１Ｇ，４１Ｂおよびクロスダイクロイックプリズム４５の間に介装される複数の光学変換素子のうちのいずれかを他の光学変換素子に対して姿勢調整する構成であればよい。
例えば、第１実施形態において、光学変換素子保持枠４７が第２偏光板４４Ａを保持し、第１偏光板４４Ｐが保持枠支持板４６に支持固定される構成とし、光学変換素子保持枠４７を保持枠支持板４６に対して回動させることで、第１偏光板４４Ｐに対する第２偏光板４４Ａの姿勢調整を実施してもよい。また、光学変換素子保持枠４７が視野角補正板４３を保持し、第１偏光板４４Ｐおよび第２偏光板４４Ａが保持枠支持板４６に支持固定される構成とし、光学変換素子保持枠４７を保持枠支持板４６に対して回動させることで、射出側偏光板４４に対する視野角補正板４３の姿勢調整を実施してもよい。
また、例えば、第２実施形態において、光学変換素子保持枠４７Ｂが第２偏光板４４Ａを保持し、第１偏光板４４Ｐがクロスダイクロイックプリズム４５に対して支持固定される構成とし、光学変換素子保持枠４７Ｂをプリズム固定板４５２および保持枠支持板４６Ｂに対して回動させることで、第１偏光板４４Ｐに対する第２偏光板４４Ａの姿勢調整を実施してもよい。
【００９６】
前記各実施形態では、液晶パネル４１Ｒ，４１Ｇ，４１Ｂ側の全ての第１偏光板４４Ｐの姿勢調整を実施する構成としたが、これに限らない。少なくとも、液晶パネル４１Ｇ側の第１偏光板４４Ｐの姿勢調整を実施すれば、高いコントラスト比を有する光学像を形成できる。
前記各実施形態では、ピン状部材４９は、保持枠支持板４６，４６Ｂと別体とした構成を説明したが、これに限らず、ピン状部材４９および保持枠支持板４６，４６Ｂを一体的に形成した構成としてもよい。このような構成において、光学装置本体４０Ａ，４０Ｂを製造する際には、第２偏光板４４Ａに対する第１偏光板４４Ｐの姿勢調整を実施する前に、保持枠支持板に一体的に形成されたピン状部材を液晶パネル４１Ｒ，４１Ｇ，４１Ｂを構成する光変調素子保持枠４１２の孔４１３に挿通した状態で、液晶パネル４１Ｒ，４１Ｇ，４１Ｂの相互の位置決めを実施しておく。
【００９７】
前記各実施形態では、液晶パネル４１Ｒ，４１Ｇ，４１Ｂを構成する光変調素子保持枠４１２の孔４１３は、角隅部分に４つ位置するように形成されていたが、これに限らず、少なくとも２つ形成されていればよい。また、ピン状部材４９もこの孔４１３の数に対応させて用いればよい。
前記各実施形態では、３つの液晶パネル４１Ｒ，４１Ｇ，４１Ｂを用いたプロジェクタ１を説明したが、これに限らない。例えば、２つの液晶パネルを用いたプロジェクタ、あるいは４つ以上の液晶パネルを用いたプロジェクタにも適用可能である。
【００９８】
前記第１実施形態では、保持枠支持板４６の起立片４６２は、矩形板状体４６１の左右辺縁と略同じ長さを有するように形成されていたが、これに限らない。例えば、矩形板状体４６１の左右辺縁から複数の起立片が突設するように形成してもよい。すなわち、起立片４６２は、矩形板状体４６１と延出部４６３との間を所定距離空けるように形成すればよい。
また、前記第１実施形態では、延出部４６３は、起立片４６２の突出方向端部の角隅部分から対向する起立片４６２に向けて延出している構成を説明したが、これに限らない。例えば、起立片４６２の辺縁と略同じ長さを有するように形成してもよい。また、例えば、角隅部分の４つに限らず、２つでもよく、起立片４６２の所定の辺縁から複数の延出部４６３が延出する構成を採用してもよい。
【００９９】
前記第１実施形態では、突条部４６２Ａは、一対の起立片４６２の対向する端面にそれぞれ１つずつ形成されていたが、これに限らず、２つ以上形成してもよい。このような構成では、保持枠支持板４６に複数の光学変換素子を保持固定させることができる。例えば、光学変換素子としては、偏光板の他、位相差板、色補正膜等の光学補償板等を採用できる。
前記第1実施形態では、保持枠支持面４６１Ｂは、矩形板状体４６１に形成されていたが、これに限らず、例えば、延出部４６３に形成する構成を採用してもよい。この場合、光学変換素子保持枠４７を保持枠支持板４６に設置する際には、光学変換素子保持枠４７の保持枠突出部４７２が光束入射側に向くこととなる。
【０１００】
前記第２実施形態では、光学変換素子保持枠４７Ｂは、プリズム固定板４５２の保持枠支持面４５２Ａおよび保持枠支持板４６Ｂの突起４６５の双方に回動自在に支持される構成を説明したが、これに限らない。
例えば、光学変換素子保持枠４７Ｂがプリズム固定板４５２の保持枠支持面４５２Ａにのみ回動自在に支持される構成としてもよい。このような構成では、保持枠支持板４６Ｂを省略することができ、部材の省略から光学装置本体４０Ｂの製造コストの低減、および小型化を図れる。
【０１０１】
また、例えば、光学変換素子保持枠４７Ｂが保持枠支持板４６Ｂの突起４６５にのみ回動自在に支持される構成としてもよい。
具体的に、図１７から図１９は、光学変換素子保持枠４７Ｂが保持枠支持板４６Ｂの突起４６５にのみ回動自在に支持される構成を説明するための図である。
図１７に示す光学装置本体４０Ｃでは、光学変換素子保持枠４７Ｂには、第２実施形態で説明した保持枠突出部４７２のうち、摺動面４７２Ｂを含む光束射出側に突出した部分が省略されている。保持枠突出部４７２には、ねじ４８Ｃを挿通可能とする孔４７２Ｄが形成されている。さらに、プリズム固定板４５２には、第２実施形態で説明した保持枠支持面４５２Ａが省略されている。また、プリズム固定板４５２の側端面には、ねじ４８Ｃと螺合するねじ孔４５２Ｃが形成されている。そして、光学変換素子保持枠４７Ｂは、保持枠支持板４６Ｂの突起４６５にのみ回動自在に支持され、第１偏光板４４Ｐの姿勢調整を実施した後、プリズム固定板４５２の側端面にねじ４８Ｃにより固定される。
【０１０２】
また、図１８に示す光学装置本体４０Ｄでは、光学変換素子保持枠４７Ｂおよびプリズム固定板４５２の形状は、図１７と略同様に形成されている。また、光学変換素子保持枠４７Ｂの保持枠突出部４７２には、ねじ４８Ｄと螺合するねじ孔４７２Ｅが形成されている。さらに、プリズム固定板４５２には、側端面に沿って上方に突出する突出部４５２Ｄが形成され、この突出部４５２Ｄにはねじ４８Ｄを挿通可能とする孔４５２Ｅが形成されている。そして、光学変換素子保持枠４７Ｂは、保持枠支持板４６Ｂの突起４６５にのみ回動自在に支持され、第１偏光板４４Ｐの姿勢調整を実施した後、プリズム固定板４５２の突出部４５２Ｄにねじ４８Ｄにより固定される。
【０１０３】
さらに、図１９に示す光学装置本体４０Ｅでは、光学変換素子保持枠４７Ｂおよびプリズム固定板４５２の形状は、図１７と略同様に形成されている。また、光学変換素子保持枠４７Ｂの保持枠突出部４７２において、プリズム固定板４５２の側端面と当接する部分には、厚み方向に窪む凹部４７２Ｆが形成されている。そして、光学変換素子保持枠４７Ｂは、保持枠支持板４６Ｂの突起４６５にのみ回動自在に支持され、第１偏光板４４Ｐの姿勢調整を実施した後、光学変換素子保持枠４７Ｂの凹部４７２Ｆによりプリズム固定板４５２の側端面との間に形成される隙間に接着剤等が充填されて固定される。
【０１０４】
前記各実施形態において、光学変換素子の姿勢調整方法は、図８および図１４に示すフローに限らない。例えば、第１実施形態では、光学変換素子として、水晶基板４４Ａ１、偏光膜４４Ａ２、および第１偏光板４４Ｐの姿勢調整を実施していたが、第２偏光板４４Ａに対する第１偏光板４４Ｐの姿勢調整のみを実施する構成としてもよい。また、第２実施形態も同様である。
また、第２偏光板４４Ａの水晶基板４４Ａ１および偏光膜４４Ａ２の姿勢調整と同様に、第1偏光板４４Ｐの水晶基板と偏光膜との姿勢位置を合わせた状態で、光学変換素子保持枠４７，４７Ｂに第１偏光板４４Ｐを貼り付ける構成としてもよい。
さらに、前記各実施形態において、姿勢調整装置１００の構成、および各構成部材の形状等は、前記実施形態で説明した構成および形状に限らない。例えば、光学変換素子を姿勢調整する際に、第２偏光板４４Ａに対する第１偏光板４４Ｐの姿勢調整のみを実施する構成では、基準偏光板１５０を省略してもよい。すなわち、第２偏光板４４Ａに対する第１偏光板４４Ｐの姿勢調整のみを実施する際には、第１偏光板４４Ｐおよび第２偏光板４４Ａを介した光束の照度に基づいて第１偏光板４４Ｐの姿勢調整を実施する。
【０１０５】
前記各実施形態において、光学変換素子の姿勢調整は、照度計１６１にて測定された照度に基づいて手動でマイクロメータ１４２を調整していたが、これに限らない。例えば、姿勢調整装置１００に制御装置を設ける。また、姿勢調整部１４０の回転部１４３を回転させるためのモータ等の駆動手段を設ける。そして、照度計１６１にて測定された照度を制御装置に出力し、制御装置は、入力した照度を演算処理する。そして、制御装置は、演算処理した結果に基づいて、姿勢調整部１４０の駆動手段に制御指令を出力し、回転部１４３を回転駆動させて光学変換素子の姿勢調整を実施する。
【０１０６】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１０７】
本発明の光学装置は、高いコントラスト比を有する光学像を形成できるため、プレゼンテーションやホームシアター等の分野において利用されるプロジェクタに用いられる光学装置として有用である。
【図面の簡単な説明】
【０１０８】
【図１】本発明の第１実施形態に係る光学装置を搭載したプロジェクタの光学系を示す模式図。
【図２】前記実施形態における光学装置本体の概略構成を示す分解斜視図。
【図３】前記実施形態における保持枠支持板の構造を示す斜視図。
【図４】前記実施形態における光学変換素子保持枠の構造を示す斜視図。
【図５】前記実施形態における姿勢調整装置の構造を示す図。
【図６】前記実施形態における姿勢調整装置の構造を示す図。
【図７】前記実施形態における姿勢調整部の構造を示す図。
【図８】前記実施形態における射出側偏光板の姿勢調整方法を説明するフローチャート。
【図９】前記実施形態における射出側偏光板の姿勢調整方法を説明するための図。
【図１０】前記実施形態における射出側偏光板の姿勢調整方法を説明するための図。
【図１１】第２実施形態における光学装置本体の概略構成を示す図。
【図１２】前記実施形態におけるクロスダイクロイックプリズムの上面に固定されるプリズム固定板を上方から見た平面図。
【図１３】前記実施形態における保持枠支持板および光学変換素子保持枠の構造を示す分解斜視図。
【図１４】前記実施形態における射出側偏光板の姿勢調整方法を説明するフローチャート。
【図１５】前記実施形態における保持枠支持板の突出部を光学変換素子保持枠に対してかしめた状態を示す図。
【図１６】前記実施形態における光学変換素子保持枠を保持枠支持板に係合させた状態を示す図。
【図１７】前記実施形態の変形例を示す図。
【図１８】前記実施形態の変形例を示す図。
【図１９】前記実施形態の変形例を示す図。
【符号の説明】
【０１０９】
１・・・プロジェクタ、１１・・・光源装置、２０・・・色分離光学系（色分離光学装置）、４０・・・光学装置、４１Ｒ，４１Ｇ，４１Ｂ・・・液晶パネル（光変調装置）、４４・・・射出側偏光板（光学変換素子）、４４Ｐ，４４Ａ・・・偏光板、４５・・・クロスダイクロイックプリズム（色合成光学装置）、４６，４６Ｂ・・・保持枠支持板、４７，４７Ｂ・・・光学変換素子保持枠、４９・・・ピン状部材、５０・・・投写レンズ（投写光学装置）、１００・・・姿勢調整装置、１２０・・・載置部、１３０・・・光束射出部、１４０・・・姿勢調整部、１４６・・・光学変換素子保持枠係合部、１６１・・・照度計、４５２・・・プリズム固定板（台座）、４１１・・・パネル本体（光変調素子）、４１２・・・光変調素子保持枠、４１２Ａ・・・開口部、４１３・・・孔、４６１・・・矩形板状体、４６１Ａ，４６４，４７１Ａ・・・開口部、４５２Ａ，４６１Ｂ・・・保持枠支持面、４５２Ｂ，４６１Ｃ・・・ねじ孔（固定部材取付部）、４６２・・・起立片、４６２Ａ・・・突条部、４６３・・・延出部、４６５・・・突出部（突起）、４７１Ｃ・・・切り欠き、４７２Ｂ・・・摺動面（曲面）、４７２Ｃ・・・トラック孔（長孔）。
【図１】
2005084596.tif 000003
【図２】
2005084596.tif 000004
【図３】
2005084596.tif 000005
【図４】
2005084596.tif 000006
【図５】
2005084596.tif 000007
【図６】
2005084596.tif 000008
【図７】
2005084596.tif 000009
【図８】
2005084596.tif 000010
【図９】
2005084596.tif 000011
【図１０】
2005084596.tif 000012
【図１１】
2005084596.tif 000013
【図１２】
2005084596.tif 000014
【図１３】
2005084596.tif 000015
【図１４】
2005084596.tif 000016
【図１５】
2005084596.tif 000017
【図１６】
2005084596.tif 000018
【図１７】
2005084596.tif 000019
【図１８】
2005084596.tif 000020
【図１９】
2005084596.tif 000021